(57)【特許請求の範囲】
【請求項１】
ランダムアクセス手順を容易にするように第１のユーザ機器（ＵＥ）デバイスを動作させる方法であって、
前記第１のＵＥデバイスのリンクバジェットが制限されていることを前記第１のＵＥデバイスが判定したことに応じて、
第１の物理ランダムアクセスチャネル（ＰＲＡＣＨ）を含む１つ以上の連続するサブフレームの第１のセットを送信することであって、１つ以上の連続するサブフレームの前記第１のセットを前記送信することは、ＰＲＡＣＨの送信のための形式に従って実行される、ことと、
前記第１のＰＲＡＣＨの１つ以上の繰り返しを含む、１つ以上の連続するサブフレームの第２のセットを送信することであって、１つ以上の連続するサブフレームの前記第２のセットは、１つ以上のサブフレームの前記第１のセットの最後のサブフレームの直後に開始され、前記第１のＰＲＡＣＨの前記１つ以上の繰り返しのそれぞれは、前記第１のＰＲＡＣＨと同じＺａｄｏｆｆ−Ｃｈｕシーケンスを使用する、ことと、
ランダムアクセス手順の１つ以上のメッセージを基地局から受信することであって、前記１つ以上のメッセージは、リンクバジェットが制限されていないＵＥデバイスがランダムアクセスを試行しているときに使用されるものよりも低い符号化レートを使用して、前記基地局によって送信されている、ことと、
を含む動作を実行することを含む、方法。
【請求項２】
前記第１のＰＲＡＣＨを前記送信することの前に、システム情報を基地局から受信することを更に含み、前記システム情報は少なくとも前記形式を示す、請求項１に記載の方法。
【請求項３】
前記第１のＰＲＡＣＨの前記１つ以上の繰り返しのそれぞれに対するＰＲＡＣＨ構成は、前記第１のＰＲＡＣＨに対するＰＲＡＣＨ構成と同一である、請求項１に記載の方法。
【請求項４】
ユーザ機器（ＵＥ）デバイスによるランダムアクセス手順を容易にするように基地局を動作させる方法であって、
前記ＵＥデバイスによる第１の送信に応じて第１のシンボルデータセットを受信することであって、前記第１の送信は、第１の物理ランダムアクセスチャネル（ＰＲＡＣＨ）を含む、１つ以上の連続するサブフレームの第１のセットであり、前記第１のＰＲＡＣＨは、ＰＲＡＣＨ送信のための形式に従って送信される、ことと、
前記ＵＥデバイスによる後続の送信に応じて第２のシンボルデータセットを受信することであって、前記後続の送信は、１つ以上の連続するサブフレームの第２のセットの送信であり、１つ以上の連続するサブフレームの前記第２のセットは、１つ以上の連続するサブフレームの前記第１のセットの最後のサブフレームの直後から開始される、ことと、
１つ以上の連続するサブフレームの前記第２のセットが、前記第１のＰＲＡＣＨの１つ以上の繰り返しを含むかどうかを判定するために、前記第１のシンボルデータセット及び前記第２のシンボルデータセットの和集合に対して相関処理を実行することであって、前記第１のＰＲＡＣＨの前記１つ以上の繰り返しは、存在する場合、前記第１のＰＲＡＣＨと同じＺＣシーケンスを使用するものと見なされる、ことと、
１つ以上の連続するサブフレームの前記第２のセットが前記第１のＰＲＡＣＨの前記１つ以上の繰り返しを含むことを判定したことに応じて、前記ＵＥデバイスのリンクバジェットが制限されていることの指示をメモリ内に記憶することと、
前記ＵＥデバイスのリンクバジェットが制限されていることの前記指示に応じて、リンクバジェットが制限されていないＵＥデバイスに対して使用されるものよりも低い符号化レートを使用して、ランダムアクセス手順の１つ以上のメッセージを前記ＵＥデバイスへと送信することと、
を含む、方法。
【請求項５】
前記第１のシンボルデータセットを前記受信することの前に、少なくとも前記形式を示すシステム情報を送信することを更に含む、請求項４に記載の方法。
【請求項６】
前記ＵＥデバイスのリンクバジェットが制限されていることの前記指示に応じて、前記リンクバジェットが制限されていないＵＥデバイスに対して使用されるものよりも低い符号化レートを使用して、ダウンリンクペイロードデータを前記ＵＥデバイスへと送信することを更に含む、請求項４に記載の方法。
【請求項７】
ランダムアクセス手順を容易にするように第１のユーザ機器（ＵＥ）デバイスを動作させるデバイスであって
前記第１のＵＥデバイスのリンクバジェットが制限されていると判定することに応じて動作を実行する様に構成された処理エージェントを備えており、
前記動作は、
第１の物理ランダムアクセスチャネル（ＰＲＡＣＨ）を含む１つ以上の連続するサブフレームの第１のセットを送信することであって、１つ以上の連続するサブフレームの前記第１のセットを前記送信することは、ＰＲＡＣＨの送信のための形式に従って実行される、ことと、
前記第１のＰＲＡＣＨの１つ以上の繰り返しを含む、１つ以上の連続するサブフレームの第２のセットを送信することであって、１つ以上の連続するサブフレームの前記第２のセットは、１つ以上のサブフレームの前記第１のセットの最後のサブフレームの直後に開始され、前記第１のＰＲＡＣＨの前記１つ以上の繰り返しのそれぞれは、前記第１のＰＲＡＣＨと同じＺａｄｏｆｆ−Ｃｈｕシーケンスを使用する、ことと、
ランダムアクセス手順の１つ以上のメッセージを基地局から受信することであって、前記１つ以上のメッセージは、リンクバジェットが制限されていないＵＥデバイスがランダムアクセスを試行しているときに使用されるものよりも低い符号化レートを使用して、前記基地局によって送信されている、ことと、
を含む、デバイス。
【請求項８】
前記動作は、前記第１のＰＲＡＣＨを前記送信することの前に、システム情報を基地局から受信することを更に含み、前記システム情報は少なくとも前記形式を示す、請求項７に記載のデバイス。
【請求項９】
前記第１のＰＲＡＣＨの前記１つ以上の繰り返しのそれぞれに対するＰＲＡＣＨ構成は、前記第１のＰＲＡＣＨに対するＰＲＡＣＨ構成と同一である、請求項７に記載のデバイス。
【請求項１０】
ユーザ機器（ＵＥ）デバイスによるランダムアクセス手順を容易にする基地局であって、
プロセッサと、
プログラム命令を格納するメモリと、
を備え、
前記プログラム命令は前記プロセッサで実行されると、前記プロセッサに、
前記ＵＥデバイスによる第１の送信に応じて第１のシンボルデータセットを受信することであって、前記第１の送信は、第１の物理ランダムアクセスチャネル（ＰＲＡＣＨ）を含む、１つ以上の連続するサブフレームの第１のセットであり、前記第１のＰＲＡＣＨは、ＰＲＡＣＨ送信のための形式に従って送信される、ことと、
前記ＵＥデバイスによる後続の送信に応じて第２のシンボルデータセットを受信することであって、前記後続の送信は、１つ以上の連続するサブフレームの第２のセットの送信であり、１つ以上の連続するサブフレームの前記第２のセットは、１つ以上の連続するサブフレームの前記第１のセットの最後のサブフレームの直後から開始される、ことと、
１つ以上の連続するサブフレームの前記第２のセットが、前記第１のＰＲＡＣＨの１つ以上の繰り返しを含むかどうかを判定するために、前記第１のシンボルデータセット及び前記第２のシンボルデータセットの和集合に対して相関処理を実行することであって、前記第１のＰＲＡＣＨの前記１つ以上の繰り返しは、存在する場合、前記第１のＰＲＡＣＨと同じＺＣシーケンスを使用するものと見なされる、ことと、
１つ以上の連続するサブフレームの前記第２のセットが前記第１のＰＲＡＣＨの前記１つ以上の繰り返しを含むことを判定したことに応じて、前記ＵＥデバイスのリンクバジェットが制限されていることの指示をメモリ内に記憶することと、
前記ＵＥデバイスのリンクバジェットが制限されていることの前記指示に応じて、リンクバジェットが制限されていないＵＥデバイスに対して使用されるものよりも低い符号化レートを使用して、ランダムアクセス手順の１つ以上のメッセージを前記ＵＥデバイスへと送信することと、
を行わせる、基地局。
【請求項１１】
前記プログラム命令は前記プロセッサで実行されると、前記プロセッサに、
前記第１のシンボルデータセットを前記受信することの前に、少なくとも前記形式を示すシステム情報を送信することを更に行わせる、請求項１０に記載の基地局。
【請求項１２】
前記プログラム命令は前記プロセッサで実行されると、前記プロセッサに、
前記ＵＥデバイスのリンクバジェットが制限されていることの前記指示に応じて、前記リンクバジェットが制限されていないＵＥデバイスに対して使用されるものよりも低い符号化レートを使用して、ダウンリンクペイロードデータを前記ＵＥデバイスへと送信することを更に行わせる、請求項１０に記載の基地局。
【請求項１３】
ランダムアクセス手順を容易にするように第１のユーザ機器（ＵＥ）デバイスを動作させるための非一時的なメモリ媒体であって、
前記メモリ媒体は、プログラム命令を格納し、
前記プログラム命令はプロセッサで実行されると、前記プロセッサに、前記第１のＵＥデバイスのリンクバジェットが制限されていると判定することに応じて動作を実行させる様に構成され、
前記動作は、
第１の物理ランダムアクセスチャネル（ＰＲＡＣＨ）を含む１つ以上の連続するサブフレームの第１のセットを送信することであって、１つ以上の連続するサブフレームの前記第１のセットを前記送信することは、ＰＲＡＣＨの送信のための形式に従って実行される、ことと、
前記第１のＰＲＡＣＨの１つ以上の繰り返しを含む、１つ以上の連続するサブフレームの第２のセットを送信することであって、１つ以上の連続するサブフレームの前記第２のセットは、１つ以上のサブフレームの前記第１のセットの最後のサブフレームの直後に開始され、前記第１のＰＲＡＣＨの前記１つ以上の繰り返しのそれぞれは、前記第１のＰＲＡＣＨと同じＺａｄｏｆｆ−Ｃｈｕシーケンスを使用する、ことと、
ランダムアクセス手順の１つ以上のメッセージを基地局から受信することであって、前記１つ以上のメッセージは、リンクバジェットが制限されていないＵＥデバイスがランダムアクセスを試行しているときに使用されるものよりも低い符号化レートを使用して、前記基地局によって送信されている、ことと、
を含む、メモリ媒体。
【請求項１４】
前記動作は、前記第１のＰＲＡＣＨを前記送信することの前に、システム情報を基地局から受信することを更に含み、前記システム情報は少なくとも前記形式を示す、請求項１３に記載のメモリ媒体。
【請求項１５】
前記第１のＰＲＡＣＨの前記１つ以上の繰り返しのそれぞれに対するＰＲＡＣＨ構成は、前記第１のＰＲＡＣＨに対するＰＲＡＣＨ構成と同一である、請求項１３に記載のメモリ媒体。
【請求項１６】
ユーザ機器（ＵＥ）デバイスによるランダムアクセス手順を容易にする基地局を動作させるための非一時的なメモリ媒体であって、
前記メモリ媒体は、プログラム命令を格納し、
前記プログラム命令はプロセッサで実行されると、前記プロセッサに、
前記ＵＥデバイスによる第１の送信に応じて第１のシンボルデータセットを受信することであって、前記第１の送信は、第１の物理ランダムアクセスチャネル（ＰＲＡＣＨ）を含む、１つ以上の連続するサブフレームの第１のセットであり、前記第１のＰＲＡＣＨは、ＰＲＡＣＨ送信のための形式に従って送信される、ことと、
前記ＵＥデバイスによる後続の送信に応じて第２のシンボルデータセットを受信することであって、前記後続の送信は、１つ以上の連続するサブフレームの第２のセットの送信であり、１つ以上の連続するサブフレームの前記第２のセットは、１つ以上の連続するサブフレームの前記第１のセットの最後のサブフレームの直後から開始される、ことと、
１つ以上の連続するサブフレームの前記第２のセットが、前記第１のＰＲＡＣＨの１つ以上の繰り返しを含むかどうかを判定するために、前記第１のシンボルデータセット及び前記第２のシンボルデータセットの和集合に対して相関処理を実行することであって、前記第１のＰＲＡＣＨの前記１つ以上の繰り返しは、存在する場合、前記第１のＰＲＡＣＨと同じＺＣシーケンスを使用するものと見なされる、ことと、
１つ以上の連続するサブフレームの前記第２のセットが前記第１のＰＲＡＣＨの前記１つ以上の繰り返しを含むことを判定したことに応じて、前記ＵＥデバイスのリンクバジェットが制限されていることの指示をメモリ内に記憶することと、
前記ＵＥデバイスのリンクバジェットが制限されていることの前記指示に応じて、リンクバジェットが制限されていないＵＥデバイスに対して使用されるものよりも低い符号化レートを使用して、ランダムアクセス手順の１つ以上のメッセージを前記ＵＥデバイスへと送信することと、
を実行させる、メモリ媒体。
【請求項１７】
前記プログラム命令は前記プロセッサで実行されると、前記プロセッサに、
前記第１のシンボルデータセットを前記受信することの前に、少なくとも前記形式を示すシステム情報を送信することを更に実行させる、請求項１６に記載のメモリ媒体。
【請求項１８】
前記プログラム命令は前記プロセッサで実行されると、前記プロセッサに、
前記ＵＥデバイスのリンクバジェットが制限されていることの前記指示に応じて、前記リンクバジェットが制限されていないＵＥデバイスに対して使用されるものよりも低い符号化レートを使用して、ダウンリンクペイロードデータを前記ＵＥデバイスへと送信することを更に実行させる、請求項１６に記載のメモリ媒体。
【発明の詳細な説明】
【技術分野】
【０００１】
本出願は無線通信デバイスに関し、より詳細には、リンクバジェットが制限された（例えば、範囲に制約のある）ユーザ機器デバイスのためのランダムアクセス手順を拡張するメカニズムに関する。
【背景技術】
【０００２】
無線通信システムの利用が急速に伸びている。近年、スマートフォン及びタブレットコンピュータ等の無線デバイスはますます洗練されてきている。電話機能のサポートに加えて、多くのモバイルデバイスは今や、インターネットへのアクセス、電子メール、テキストメッセージング、及び全地球測位システム（global positioning system、ＧＰＳ）を使用したナビゲーションを提供し、これらの機能を利用する洗練されたアプリケーションを動作させることができる。
【０００３】
ＬＴＥでは、ランダムアクセス手順（本明細書では「ＲＡＣＨ」と呼ばれる）は、ＵＥデバイスをネットワーク（network、ＮＷ）と同期させるための重要な手順である。ＲＡＣＨは、ＵＥデバイスによる初期アクセス、１つのセルから別のセルへのＵＥデバイスのハンドオーバー、ＲＲＣの再確立、ＵＬ／ＤＬデータの到達、ＲＲＣ接続状態での測位に使用され得る。ＲＡＣＨは、ＵＥがＮＷにアクセスし、同期し、直交するリソースを取得することを可能にするための非常に重要な手順である。このため、ＮＷによる検出の成功を保証することは重要である。現在３ＧＰＰ仕様では、（ａ）直交するか、又は優れた相互相関特性を有するものなどの様々なプリアンブルの使用、（ｂ）複数のＲＡＣＨ試行（ＮＷ構成によって依存する）、（ｃ）連続する各ＲＡＣＨ試行での電力のランプアップ、という様々な方法が使用されている。
【０００４】
デバイスのリンクバジェットが制限されている場合、ＰＲＡＣＨ（Physical Random Access Channel、物理ランダムアクセスチャネル）の不良な受信の影響を緩和するためのメカニズムが必要とされる。例えば、デバイスが性能の低いアンテナシステムを備える場合、及び／又は、デバイスがカバレッジの不十分な領域に位置する（例えば、基地局から離れているか、又は建物の地下にいる）場合、デバイスのリンクバジェットは制限され得る。
【発明の概要】
【発明が解決しようとする課題】
【０００５】
リンクバジェットが制限されたユーザ機器（user equipment、ＵＥ）デバイスのための拡張されたランダムアクセス手順が開示される。
【課題を解決するための手段】
【０００６】
リンクバジェットが制限されたユーザ機器デバイスは、ランダムアクセス手順（random access procedure、ＲＡＣＨ）を開始するために、物理ランダムアクセスチャネル（Physical Random Access Channel、ＰＲＡＣＨ）プリアンブルを含む第１のメッセージを送信してもよい。いくつかの実施形態では、ＰＲＡＣＨプリアンブルは、従来のＰＲＡＣＨ形式に対して定義されたものよりも大きいサブキャリア間隔及び／又は時間幅を有してもよい。いくつかの実施形態では、従来のＰＲＡＣＨ形式内よりも多くの数の、選択されたＺａｄｏｆｆ−Ｃｈｕシーケンスのインスタンスが、ＰＲＡＣＨプリアンブル内に埋め込まれてもよい。これらの特徴は、基地局が、リンクバジェットが制限されたＵＥデバイスに対する、その正常な復号の可能性を向上させることを可能にする。
【０００７】
いくつかの実施形態では、リンクバジェットが制限されたＵＥデバイスは、単一のランダムアクセス試行（ＲＡＣＨ試行）の一部としてＰＲＡＣＨプリアンブルを複数回送信してもよく、送信タイミングは、基地局によって供給されたタイミング構成情報によって特定される。（タイミング構成情報は、ＰＲＡＣＨプリアンブル送信のそれぞれがいつ発生すべきかを判定してもよい）。ＰＲＡＣＨプリアンブルの各再送信は、その構造及び内容が、初期送信と同一であってもよい。基地局は、正常な復号の可能性を向上させるために、ＰＲＡＣＨプリアンブルの２つ以上の受信されたインスタンスを結合してもよい。
【０００８】
基地局は、第２のメッセージ、例えば、ランダムアクセス応答（ＲＡＲ）をリンクバジェットが制限されたＵＥデバイスへと、時間的な繰り返し及び／又は従来のＲＡＲメッセージよりも低い符号化レートを使用して送信してもよい。リンクバジェットが制限されたＵＥデバイスは、第２のメッセージに応じて、同様に時間的な繰り返し及び／又はより低い符号化レートを使用して（例えば、ＲＲＣ接続要求メッセージに対して従来指定されるものよりも低い符号化レートを使用して）第３のメッセージを送信してもよい。このため、ランダムアクセス手順のメッセージのそれぞれ（又はそれらのメッセージの任意のサブセット）は、リンクバジェットが制限されたＵＥデバイスを処理するときの、ランダムアクセス手順の正常な完了の可能性を向上させるために拡張されてもよい。
【０００９】
いくつかの実施形態では、ＰＲＡＣＨプリアンブルはＺａｄｏｆｆ−Ｃｈｕシーケンスの１つ以上のインスタンスを含んでもよく、かつ単一のＲＡＣＨ試行の一部として繰り返し送信されてもよい。基地局は、ＰＲＡＣＨプリアンブルの２つ以上の受信されたインスタンスに対して相関データの結合を実行し、それによってＰＲＡＣＨプリアンブルの正常な復号の可能性を向上させてもよい。
【００１０】
いくつかの実施形態では、使用可能な（すなわち、ＵＥデバイスがランダムアクセスの実行を試行するときに使用できる）Ｚａｄｏｆｆ−Ｃｈｕシーケンスは複数のセット間で分割されてもよく、各セットは、ドップラーシフトの大きさのそれぞれの範囲に関連付けられる。リンクバジェットが制限されたＵＥデバイスは、基地局に対するそのドップラーシフトを計測し、計測されたドップラーシフトの大きさに基づき、セットのうちの１つを選択してもよい。選択されたセットからのＺａｄｏｆｆ−Ｃｈｕシーケンスが、ＰＲＡＣＨプリアンブルの繰り返し送信に使用される。基地局は、選択されたセットを特定するために、ＰＲＡＣＨプリアンブルの受信されたインスタンスに対して相関処理を実行してもよい。選択されたセットのアイデンティティは、ＰＲＡＣＨプリアンブルの複数の受信されたインスタンス（又はＰＲＡＣＨプリアンブルの受信されたインスタンス内にある、Ｚａｄｏｆｆ−Ｃｈｕシーケンスの複数の受信されたインスタンス）に対応する相関データレコードを結合するための適切な方法を特定するために使用されてもよい。低ドップラーの場合は複素数値結合方法がより適切であり、高ドップラーの場合はエネルギー結合方法がより適切であり得る。複素数値結合及びエネルギー結合の技術は、信号処理の分野で周知である。
【００１１】
いくつかの実施形態では、ＰＲＡＣＨプリアンブルの複数の送信は、１つの送信から次の送信への周波数領域ホッピングを利用してもよい。ホッピングパターンはセットの選択によってシグナリングされてもよい。（異なるセットが異なるホッピングパターンに対応するように、使用可能なＺａｄｏｆｆ−Ｃｈｕシーケンスが複数のセット間で分割されてもよい。例えば、各セットがドップラー範囲及び周波数ホッピングパターンの一意のペアに関連付けられてもよい。）ＰＲＡＣＨプリアンブルを周波数領域内で１つの送信から次の送信へとホップさせることによって、ＰＲＡＣＨプリアンブルの正常な復号の可能性を平均的に改善する周波数ダイバーシティが提供される。
【００１２】
ＰＲＡＣＨプリアンブルの複数の送信は、複数のあり得る時間繰り返しパターンのうちの１つに従って実行されてもよい。時間繰り返しパターンはセットの選択によってシグナリングされてもよい。
【００１３】
いくつかの実施形態では、ＰＲＡＣＨプリアンブルの第１の送信及びＰＲＡＣＨプリアンブルのそれ以降の送信（単数又は複数）が時間的に連続して発生するように、リンクバジェットが制限されたＵＥデバイスが構成されてもよい。（ＰＲＡＣＨプリアンブルの各送信は、１つ以上の時間的に連続するサブフレームにわたり、かつ、ＰＲＡＣＨプリアンブルの前回の送信を含む１つ以上の連続するサブフレームの直後に続いてもよい）。このため、これらの実施形態では、基地局は、時間繰り返しパターンをリンクバジェットが制限されたＵＥデバイスへとシグナリングする必要がない。
【００１４】
いくつかの実施形態では、リンクバジェットが制限されたＵＥデバイスは、１つ以上の連続するサブフレームにわたって従来のＰＲＡＣＨプリアンブルを送信し、その直後に、従来のＰＲＡＣＨプリアンブルの１つ以上の繰り返しを送信してもよい。１つ以上の繰り返しの存在は、ＵＥデバイスのリンクバジェットが制限されていることを基地局に通知する。リンクバジェットが制限されていないＵＥデバイスは、１つ以上の繰り返しを送信しない。したがって、ＵＥデバイスがランダムアクセスを試行するたびに、基地局は、１つ以上の繰り返しが送信されたかどうかを判定することによって、そのＵＥデバイスのリンクバジェットが制限されているかどうかを判定することができる。
【００１５】
いくつかの実施形態では、ＵＥデバイスは、その状態をリンクバジェットが制限されたデバイスとしてシグナリングするために、特殊なＺａｄｏｆｆ−Ｃｈｕシーケンスのセット（通常のＵＥデバイス又は旧式のＵＥデバイスによって使用されるシーケンスの従来のセットと異なる）から選択を行ってもよい。基地局は、ランダムアクセスを試行している所与のＵＥデバイスによって選択されたＺａｄｏｆｆ−Ｃｈｕシーケンスを特定するために、ＰＲＡＣＨプリアンブルの１つ以上の受信されたインスタンスに対して相関処理を実行し、かつ、そのＺＣシーケンスが特殊なセット又は従来のセットに属するかどうかに基づき、ＵＥデバイスのリンクバジェットが制限されているかどうかを判定する。
【００１６】
いくつかの実施形態では、リンクバジェットが制限されたＵＥデバイスは、１つ以上の連続する無線フレームのうちの１つ目の第１の使用可能なサブフレームから始まる、１つ以上の連続する無線フレーム内の連続する使用可能なサブフレームにわたって、ＰＲＡＣＨ情報を送信してもよい。（使用可能なサブフレームは、シグナリングされたＰＲＡＣＨ構成、すなわち、基地局によってシグナリングされたＰＲＡＣＨ構成によって定義される）。
【図面の簡単な説明】
【００１７】
【図１】例示的な（かつ簡略化された）無線通信システムを示している。
【図２】無線ユーザ機器（ＵＥ）デバイスと通信する基地局を示す図である。
【図３】一実施形態に係るＵＥのブロック図である。
【図４】一実施形態に係る基地局のブロック図である。
【図５Ａ】アップリンクフレームの一部として送信されるＰＲＡＣＨプリアンブルを示す図である。
【図５Ｂ】１つのあり得る形式に従った従来のＰＲＡＣＨの構造を示す図である。
【図６】ＰＲＡＣＨのサイクリックプレフィクス（cyclic prefix、ＣＰ）及びシーケンス部分を示す図である。
【図７】ユーザ機器（ＵＥ）デバイスと基地局（例えば、ｅＮｏｄｅＢ）との間でランダムアクセス手順の一部として交換されるメッセージの一実施形態を示す図である。
【図８Ａ】４つのＺａｄｏｆｆ−Ｃｈｕシーケンスを含むＰＲＡＣＨプリアンブル形式Ａの一実施形態を示す図である。
【図８Ｂ】周波数領域内の複数のセグメントを含む、ＰＲＡＣＨの一実施形態を示す図である。
【図９】リンクバジェットが制限されたＵＥデバイスによるランダムアクセス手順を容易にするようにＵＥデバイスを動作させる方法の一実施形態を示す図である。
【図１０】リンクバジェットが制限されたＵＥデバイスのためのランダムアクセス手順を容易にするように基地局を動作させる方法の一実施形態を示す図である。
【図１１】シーケンスセットの選択を介してドップラーカテゴリをシグナリングすることによってランダムアクセス手順を容易にするようにＵＥデバイスを動作させる方法の一実施形態を示す図である。
【図１２】シーケンスセットの選択を介してドップラーカテゴリをシグナリングすることによってランダムアクセス手順を容易にするようにＵＥデバイスを動作させる方法の別の実施形態を示す図である。
【図１３】シーケンスセットの選択を介したドップラーカテゴリのシグナリングに基づきランダムアクセス手順を容易にするように基地局を動作させる方法の一実施形態を示す図である。
【図１４】シーケンスセットの選択を介したドップラーカテゴリのシグナリングに基づきランダムアクセス手順を容易にするように基地局を動作させる方法の別の実施形態を示す図である。
【図１５】一実施形態に係る、複数のＰＲＡＣＨ送信にわたる周波数ホッピングの単純な実施例を示す図である。
【図１６】アップリンク信号の連続するサブフレームにわたるＰＲＡＣＨの複数のインスタンスの送信を含む方法の一実施形態を示す図である。
【図１７】ＰＲＡＣＨの複数の受信されたインスタンスの受信及び累算を含む方法の一実施形態を示す図である。
【図１８】ＰＲＡＣＨプリアンブルの１つ以上の繰り返し送信が直後に続く、従来のＰＲＡＣＨプリアンブルの送信によって、ＵＥデバイスがそのリンクバジェットが制限された状態を基地局へとシグナリングする方法の一実施形態を示す図である。従来のＰＲＡＣＨプリアンブル送信、及びＰＲＡＣＨプリアンブルの１つ以上の繰り返し送信は、時間的に連続する。各送信は、１つ以上の連続するサブフレームのグループを占有する。更に、それらのグループ自体は時間的に連続してもよく、すなわち、各グループの第１のサブフレームが前のグループの最後のサブフレームの直後に続いてもよい。
【図１９】従来のＰＲＡＣＨの１つ以上の繰り返しが直後に続く、従来のＰＲＡＣＨの送信を含む方法の一実施形態を示す図である。
【図２０】アップリンク信号内に１つ以上の追加の（すなわち、従来のＰＲＡＣＨ形式に従って送信される１つ以上の初期ＰＲＡＣＨインスタンスに加えた）ＰＲＡＣＨインスタンスが存在すること又は存在しないことに基づき、ランダムアクセスを試行している所与のＵＥデバイスのリンクバジェットが制限されているかどうかを判定する方法の一実施形態を示す図である。
【図２１】アップリンク信号内にＰＲＡＣＨの１つ以上の追加の（すなわち、ＰＲＡＣＨの初期送信に加えた）送信が存在すること又は存在しないことに基づき、ランダムアクセスを試行している所与のＵＥデバイスのリンクバジェットが制限されているかどうかを判定する方法の一実施形態を示す図である。
【図２２】３ＧＰＰ  ＴＳ３６．２１１からの表５．７．２−４（「Ｒｏｏｔ  Ｚａｄｏｆｆ−Ｃｈｕ  ｓｅｑｕｅｎｃｅ  ｏｒｄｅｒ  ｆｏｒ  ｐｒｅａｍｂｌｅ  ｆｏｒｍａｔｓ  ０−３」）の一部を示す図である。
【図２３】３ＧＰＰ  ＴＳ３６．２１１からの表５．７．２−２（「Ｎｃｓ  ｆｏｒ  ｐｒｅａｍｂｌｅ  ｇｅｎｅｒａｔｉｏｎ，ｐｒｅａｍｂｌｅ  ｆｏｒｍａｔｓ  ０−３」）を示す図である。
【図２４】３ＧＰＰ  ＴＳ３６．２１１からの表５．７．１−２（「Ｆｒａｍｅ  ｓｔｒｕｃｔｕｒｅ  ｔｙｐｅ  １  ｒａｎｄｏｍ  ａｃｃｅｓｓ  ｃｏｎｆｉｇｕｒａｔｉｏｎ  ｆｏｒ  ｐｒｅａｍｂｌｅ  ｆｏｒｍａｔｓ  ０−３」）の一部を示す図である。
【図２５】従来のＵＥデバイスによって使用されない特殊なＺａｄｏｆｆ−Ｃｈｕシーケンスのセットからの選択によって、ＵＥデバイスがそのリンクバジェットが制限された状態を基地局へとシグナリングする方法の一実施形態を示す図である。
【図２６】ＵＥデバイスによって送信されたＰＲＡＣＨプリアンブルが、特殊なＺＣシーケンスのセット又はＺＣシーケンスの従来のセットのいずれから選択されたＺＣシーケンスを使用するかを判定することによって、ランダムアクセスを試行している所与のＵＥデバイスのリンクバジェットが制限されているかどうかを基地局が判定する方法の一実施形態を示す図である。
【発明を実施するための形態】
【００１８】
本明細書で説明される特徴は、種々の修正及び代替形態を受け入れる余地があるが、その特定の実施形態を例として図面に示し、本明細書で詳細に説明する。しかし、図面及びそれらに対する詳細な説明は、開示されている特定の形態に限定することを意図されているのではなく、逆にその意図は、添付の請求項によって定義されている全ての本主題の趣旨及び範囲内に入る全ての変更、均等物及び代替物を範囲に含むことを理解されたい。
【００１９】
頭字語
本開示全体を通じて、様々な頭字語が使用される。本開示全体を通じて現れ得る、最も顕著に使用される頭字語が以下で提供される。
ＢＳ：基地局
ＤＬ：ダウンリンク
ＬＴＥ：ロングタームエボリューション（Long Term Evolution）
ＭＩＢ：マスタ情報ブロック
ＮＷ：ネットワーク
ＰＢＣＨ：物理ブロードキャストチャネル
ＰＲＡＣＨ：物理ランダムアクセスチャネル
ＰＵＳＣＨ：物理アップリンク共用チャネル
ＲＡＣＨ：ランダムアクセスチャネル
ＲＲＣ：無線リソース制御
ＲＲＣ  ＩＥ：ＲＲＣ情報要素
ＲＸ：受信
ＳＦＮ：システムフレーム番号
ＳＩＢ：システム情報ブロック
ＴＴＩ：送信時間間隔
ＴＸ：送信
ＵＥ：ユーザ機器
ＵＬ：アップリンク
ＵＭＴＳ：ユニバーサル移動通信システム
ＺＣシーケンス：Ｚａｄｏｆｆ−Ｃｈｕシーケンス
３ＧＰＰ：第３世代パートナーシッププロジェクト
【００２０】
専門用語
以下は、本出願内に現れ得る用語の用語集である。
【００２１】
記憶媒体−様々な種類のメモリデバイス又は記憶デバイスのいずれか。用語「記憶媒体」は、インストール媒体、例えば、ＣＤ−ＲＯＭ、フロッピーディスク１０４、又はテープデバイス；ＤＲＡＭ、ＤＤＲ  ＲＡＭ、ＳＲＡＭ、ＥＤＯ  ＲＡＭ、ラムバスＲＡＭなどのコンピュータシステムメモリ又はランダムアクセスメモリ；フラッシュ、磁気媒体、例えば、ハードドライブ、又は光記憶装置、などの不揮発性メモリ；レジスタ、又はその他の同様の種類のメモリ要素等を含むことが意図されている。記憶媒体は他の種類のメモリ、並びにそれらの組合せも含んでもよい。更に、記憶媒体は、プログラムが実行される第１のコンピュータシステム内に配置されてもよく、あるいは、インターネットなどのネットワークを介して、第１のコンピュータシステムに接続する第２の別のコンピュータシステム内に配置されてもよい。後者の例では、第２のコンピュータシステムがプログラム命令を第１のコンピュータシステムに実行用に提供してよい。用語「記憶媒体」は、異なる場所、例えば、ネットワークを介して接続された異なるコンピュータシステム内に存在し得る、２つ以上の記憶媒体を含んでもよい。
【００２２】
キャリア媒体−上述のようなメモリ媒体、並びに、バス、ネットワークなどの物理的伝送媒体、及び／又は、電気的信号、電磁気的信号、若しくはデジタル信号などの信号を伝達する他の物理的伝送媒体。
【００２３】
コンピュータシステム（又はコンピュータ）−パーソナルコンピュータシステム（ＰＣ）、メインフレームコンピュータシステム、ワークステーション、ネットワーク装置、インターネット装置、携帯情報端末（ＰＤＡ）、テレビシステム、グリッドコンピューティングシステム、又はその他のデバイス、あるいはデバイスの組合せを含む、任意の様々な種類のコンピューティング又は処理システム。一般的に、用語「コンピュータシステム」は、記憶媒体からの命令を実行する少なくとも１つのプロセッサを有する任意のデバイス（又はデバイスの組合せ）を包含するように広義に定義することができる。
【００２４】
ユーザ機器（ＵＥ）（又は「ＵＥデバイス」）−移動式又は携帯式であり、無線通信を実行する、様々な種類のコンピュータシステムデバイスのいずれか。ＵＥデバイスの例としては、携帯電話又はスマートフォン（例えば、ｉＰｈｏｎｅ（登録商標）、Ａｎｄｒｏｉｄ（登録商標）ベースの電話）、ポータブルゲームデバイス（例えば、Ｎｉｎｔｅｎｄｏ  ＤＳ（登録商標）、ＰｌａｙＳｔａｔｉｏｎ  Ｐｏｒｔａｂｌｅ（登録商標）、Ｇａｍｅｂｏｙ  Ａｄｖａｎｃｅ（登録商標）、ｉＰｈｏｎｅ（登録商標））、ウェアラブルデバイス（例えば、スマートウォッチ）、ラップトップ、ＰＤＡ、ポータブルインターネットデバイス、音楽プレーヤ、データ記憶デバイス、又は他のハンドヘルドデバイスが挙げられる。一般に、用語「ＵＥ」又は「ＵＥデバイス」は、ユーザによって容易に持ち運ばれ、無線通信が可能な、あらゆる電子的、コンピューティング及び／又は遠隔通信デバイス（又はデバイスの組合せ）を包含するように幅広く定義され得る。
【００２５】
基地局（Base Station、ＢＳ）−用語「基地局」は、その通常の意味の全範囲を有し、少なくとも、固定ロケーションに設置され、無線電話システム又は無線システムの一部として通信するために使用される無線通信局を含む。
【００２６】
処理要素−種々の要素又は要素の組合せを指す。処理要素としては、例えば、ＡＳＩＣ（Application Specific Integrated Circuit、特定用途向け集積回路）などの回路、個別のプロセッサコアの一部分若しくは回路、プロセッサコア全体、個別のプロセッサ、フィールドプログラマブルゲートアレイ（field programmable gate array、ＦＰＧＡ）などのプログラム可能ハードウェアデバイス、及び／又は複数のプロセッサを含むシステムのより大きい部分、が挙げられる。
【００２７】
自動的に−アクション若しくは動作を直接指定又は実行するユーザ入力を使用することなく、コンピュータシステム（例えば、コンピュータシステムによって実行されるソフトウェア）又はデバイス（例えば、回路機構、プログラム可能ハードウェア要素、ＡＳＩＣなど）によって実行される、アクション又は動作を指す。したがって、「自動的に」という用語は、ユーザが入力を提供することにより動作を直接実行する、ユーザによって手作業で実行又は指定される動作とは対照的である。自動手順は、ユーザによって提供される入力によって開始することができるが、「自動的に」実行される後続のアクションは、ユーザによって指定されず、即ち、実行するべき各アクションをユーザが指定する「手作業」では実行されない。例えば、ユーザが、各欄を選択して、情報を指定する入力を提供することによって（例えば、情報を打ち込むこと、チェックボックス、無線選択を選択することなどによって）、電子フォームに記入することは、たとえ、コンピュータシステムが、そのユーザのアクションに応じて、そのフォームを更新しなければならなくても、手作業でフォームに記入することになる。コンピュータシステム（例えば、コンピュータシステム上で実行されるソフトウェア）が、フォームの欄を分析して、その欄に対する回答を指定するユーザ入力を全く伴わずに、フォームに記入する場合、そのフォームは、コンピュータシステムによって自動的に記入することになる。上述のように、ユーザは、フォームの自動記入を呼び出すことができるが、フォームの実際の記入には関与しない（例えば、ユーザは、フィールドに対する回答を手作業で指定しないで、むしろ、その回答は自動的に完了するといえる）。本明細書は、ユーザが行ったアクションに応じて動作が自動的に実行される、様々な実施例を提供する。
【００２８】
図１及び図２−通信システム
図１は、例示的な（かつ簡略化された）無線通信システムを示している。図１のシステムはあり得るシステムの単なる一例にすぎず、本明細書で開示される実施形態は所望に応じて、種々のシステムのうちの任意のものにおいて実行され得ることに留意されたい。
【００２９】
図示されるように、例示的な無線通信システムは、送信媒体を介して１つ以上のユーザデバイス１０６−Ａ〜１０６−Ｎと通信する基地局１０２を含む。ユーザデバイスのそれぞれは、本明細書で「ユーザ機器」（ＵＥ）又はＵＥデバイスと呼ばれ得る。したがって、ユーザデバイス１０６は、ＵＥ、又はＵＥデバイスと呼ばれる。
【００３０】
基地局１０２は無線基地局装置（base transceiver station、ＢＴＳ）であってもよく、ＵＥ１０６Ａ〜１０６Ｎとの無線通信を可能にするハードウェアを含んでもよい。基地局１０２はまた、ネットワーク１００（例えば、種々の可能性の中で、無線サービスプロバイダのインフラストラクチャネットワーク、セルラーサービスプロバイダのコアネットワーク、公衆交換電話網（public switched telephone network、ＰＳＴＮ）などの電気通信ネットワーク、及び／又はインターネット）と通信する機能を備えてもよい。したがって、基地局１０２は、ユーザ装置間の通信、及び／又はユーザ装置とネットワーク１００との間の通信を円滑にすることができる。基地局の通信領域（又はカバレッジ領域）は、「セル」と呼ばれることもある。
【００３１】
基地局１０２及びユーザデバイスは、無線通信技術、又はＧＳＭ（登録商標）、ＵＭＴＳ（ＷＣＤＭＡ（登録商標））、ＬＴＥ（登録商標）、ＬＴＥ−Ａｄｖａｎｃｅｄ（ＬＴＥ−Ａ）、３ＧＰＰ２  ＣＤＭＡ２０００（例えば１ｘＲＴＴ、１ｘＥＶ−ＤＯ、ＨＲＰＤ、ｅＨＲＰＤ）、Ｗｉ−Ｆｉ（登録商標）、ＷｉＭＡＸ（登録商標）などの電気通信規格と呼ばれる、種々の無線アクセス技術（ＲＡＴ）のいずれかを使用して伝送媒体を介して通信するように構成されてもよい。
【００３２】
ＵＥ１０６は、複数の無線通信規格を使用して通信するように構成されてもよい。例えば、ＵＥ１０６は、３ＧＰＰセルラー通信規格（ＬＴＥなど）及び／又は３ＧＰＰ２セルラー通信規格（セルラー通信規格のうちのＣＤＭＡ２０００ファミリーのセルラー通信規格など）を使用して通信するよう構成されてもよい。同一の又は異なるセルラー通信規格に従って動作する基地局１０２及び他の同様の基地局は、したがって、１つ以上のセルラー通信規格を介して、広い地理的エリアにわたってＵＥ１０６及び同様のデバイスに連続性のある又はほぼ連続性のある重複するサービスを提供し得る、セルの１つ以上のネットワークとして提供されてもよい。
【００３３】
ＵＥ１０６はまた、あるいは代替的に、ＷＬＡＮ、Ｂｌｕｅｔｏｏｔｈ、１つ以上のグローバル衛星航法システム（ＧＮＳＳ、例えばＧＰＳ又はＧＬＯＮＡＳＳ）、並びに１つ及び／又は複数のモバイルテレビ放送規格（例えば、ＡＴＳＣ−Ｍ／Ｈ又はＤＶＢ−Ｈ）などを使用して通信するように構成されてもよい。無線通信規格の他の組合せ（３つ以上の無線通信規格を含む）も可能である。
【００３４】
図２は、基地局１０２と通信するユーザ機器１０６（例えば、デバイス１０６−Ａ〜１０６−Ｎのうちの１つ）を示す。ＵＥ１０６は、携帯電話、ハンドヘルドデバイス、コンピュータ若しくはタブレットなどの無線ネットワーク接続性を有するデバイス、ウェアラブルデバイス、又は任意の種類の無線デバイスであってもよい。ＵＥ１０６は、メモリ内に記憶されたプログラム命令を実行するように構成されたプロセッサを含んでもよい。ＵＥ１０６は、そのような記憶された命令を実行することによって、本明細書に記載された方法の任意の実施形態を実行することができる。あるいは、又は更に、ＵＥ１０６は、本明細書に記載された方法の実施形態のいずれか、又は本明細書に記載された方法の実施形態のいずれかの任意の部分を実行するように構成されたＦＰＧＡ（フィールドプログラマブルゲートアレイ）などのプログラム可能ハードウェア要素を含んでもよい。ＵＥ１０６は、１つ以上の無線通信プロトコルを使用して通信するように構成されてもよい。例えば、ＵＥ１０６はＣＤＭＡ２０００、ＬＴＥ、ＬＴＥ−Ａ、ＷＬＡＮ、ＧＮＳＳのうちの１つ以上を使用して通信するように構成されてもよい。
【００３５】
ＵＥ１０６には、１つ以上の無線通信プロトコルを使用して通信するための１つ以上のアンテナを含み得る。いくつかの実施形態では、ＵＥ１０６は、複数の無線通信規格間の受信チェーン及び／又は送信チェーンの１つ以上の部品を共有してもよい。共有無線機は、無線通信を実行するための単一のアンテナを含んでもよく、又は複数のアンテナ（例えば、ＭＩＭＯ動作の場合）を含んでもよい。代替として、ＵＥ１０６は、通信するように構成された各無線通信プロトコルのための別個の送信及び／又は受信チェーン（例えば、別々のアンテナ及び他の無線コンポーネントを含む）を含み得る。別の代替として、ＵＥ１０６は、複数の無線通信プロトコルの間で共有される１つ以上の無線器、及び単一の無線通信プロトコルによって独占的に使用される１つ以上の無線器を含み得る。例えば、ＵＥ１０６はＬＴＥ又はＣＤＭＡ２０００  １ｘＲＴＴのいずれかを使用して通信するための共有無線機、並びにＷｉ−Ｆｉ及びＢｌｕｅｔｏｏｔｈ（登録商標）のそれぞれを使用して通信するための別々の無線機を含んでもよい。他の構成もまた可能である。
【００３６】
図３−ＵＥの例示的なブロック図
図３はＵＥ１０６の例示的なブロック図を示している。図示のとおり、ＵＥ１０６は、種々の目的のための部分を有し得るシステムオンチップ（ＳＯＣ）３００を含むことができる。例えば、図示のとおり、ＳＯＣ３００は、ＵＥ１０６及び表示回路３０４のためのプログラム命令を実行し得るプロセッサ（単数又は複数）３０２と、グラフィック処理を実行し、ディスプレイ３４０に表示信号を提供し得る表示回路３０４とを含んでもよい。プロセッサ（単数又は複数）３０２は、メモリ管理ユニット（ＭＭＵ）３４０、並びに／又は、表示回路３０４、無線３３０、コネクタインタフェース３２０、及び／若しくはディスプレイ３４０等の、その他の回路又はデバイスに連結されてもよく、ＭＭＵ３４０は、プロセッサ（単数又は複数）３０２からアドレスを受信し、それらのアドレスを、メモリ（例えば、メモリ３０６、リードオンリーメモリ（ＲＯＭ）３５０、ＮＡＮＤフラッシュメモリ３１０）内の場所に変換するように構成されてもよい。ＭＭＵ３４０は、メモリ保護及びページテーブル変換又はセットアップを実行するように構成することができる。いくつかの実施形態では、ＭＭＵ３４０は、プロセッサ（単数又は複数）３０２の一部として含めることができる。
【００３７】
図示のとおり、ＳＯＣ３００は、ＵＥ１０６の種々の他の回路に連結してもよい。例えば、ＵＥ１０６は、（例えば、ＮＡＮＤフラッシュ３１０を含む）様々な種類のメモリ、（例えば、コンピュータシステムに結合するための）コネクタインタフェース３２０、ディスプレイ３４０、及び（例えば、ＬＴＥ、ＬＴＥ−Ａ、ＣＤＭＡ２０００、Ｂｌｕｅｔｏｏｔｈ、ＷｉＦｉ、ＧＰＳなどのための）無線通信回路を含んでもよい。ＵＥデバイス１０６は、基地局及び／又は他のデバイスとの無線通信を実行するために、少なくとも１つのアンテナを含み、かつ複数のアンテナを含んでもよい。例えば、ＵＥデバイス１０６は、アンテナシステム３３５を使用して無線通信を実行してもよい。
【００３８】
ＵＥデバイス１０６のプロセッサ３０２は、例えば、記憶媒体（例えば、非一時的コンピュータ可読記憶媒体）に記憶されたプログラム命令を実行することによって、本明細書に記載される方法の一部又は全部を実行するように構成されてもよい。他の実施形態では、プロセッサ３０２は、ＦＰＧＡ（フィールドプログラマブルゲートアレイ）等のプログラム可能ハードウェア要素として、又はＡＳＩＣ（特定用途向け集積回路）として構成され得る。
【００３９】
図４−基地局の例示的なブロック図
図４は、基地局１０２のブロック図を示す。図４の基地局は、あり得る基地局の単なる一例にすぎないことに留意されたい。図示のとおり、基地局１０２は、基地局１０２に関するプログラム命令を実行することができるプロセッサ（単数又は複数）４０４を含み得る。プロセッサ（単数又は複数）１０２はまた、プロセッサ（単数又は複数）１０２からアドレスを受信し、それらのアドレスを、メモリ（例えば、メモリ４６０及び読み出し専用メモリ（ｒｅａｄ  ｏｎｌｙ  ｍｅｍｏｒｙ、ＲＯＭ）４５０）中のロケーションに、あるいはその他の回路又はデバイスに変換するように構成することができるメモリ管理ユニット（ＭＭＵ）４４０に連結することができる。
【００４０】
基地局１０２には、少なくとも１つのネットワークポート４７０を含めることができる。ネットワークポート４７０は、電話網に連結されており、ＵＥ１０６などの複数のデバイスに、図１及び図２で上述したような電話ネットワークへのアクセスを提供するように構成することができる。ネットワークポート４７０（又は、追加ネットワークポート）はまた、又は代替的に、セルラーネットワーク、例えば、セルラーサービスプロバイダのコアネットワーク、に連結するように構成することができる。このコアネットワークは、ＵＥデバイス１０６などの複数のデバイスに、移動性に関連するサービス及び／又は他のサービスを提供することができる。いくつかの場合には、ネットワークポート４７０は、コアネットワークを介して電話網に連結することができ、かつ／又は、そのコアネットワークは、電話網（例えば、セルラーサービスプロバイダによるサービスを受ける他のＵＥデバイス間の）を提供することができる。
【００４１】
基地局１０２は、少なくとも１つのアンテナ４３４を含むことができる。（いくつかの実施形態では、基地局は２つ以上のセクタのそれぞれの複数のアンテナを含んでもよい。）少なくとも１つのアンテナ４３４は、無線送受信機として動作するように構成されてもよく、更に、無線機４３０を使用してＵＥデバイス１０６と通信するように構成されてもよい。アンテナ４３４は、通信チェーン４３２を介して、無線機４３０と通信する。通信チェーン４３２は、受信チェーン、送信チェーン又はその両方であってもよい。無線機４３０は、１つ以上の無線通信規格、例えば、ＬＴＥ、ＬＴＥ−Ａ、ＷＣＤＭＡ、ＣＤＭＡ２０００などの規格を介して通信するように構成されてもよい。基地局１０２のプロセッサ４０４は、例えば、記憶媒体（例えば、非一時的コンピュータ可読記憶媒体）に記憶されたプログラム命令を実行することによって、本明細書で説明される方法のうちの一部又は全てを実施するように構成されてもよい。あるいは、プロセッサ４０４は、ＦＰＧＡ（フィールドプログラマブルゲートアレイ）などのプログラム可能ハードウェア要素として、又はＡＳＩＣ（特定用途向け集積回路）又はこれらの組合せとして、構成されてもよい。
【００４２】
背景及び問題に関する記述
ＬＴＥでは、ランダムアクセス手順（本明細書では「ＲＡＣＨ」と呼ばれる）は、ＵＥデバイスをネットワーク（ＮＷ）と同期させるための手順である。ＲＡＣＨは、ＵＥデバイスによるＮＷへの初期アクセス、１つのセルから別のセルへのＵＥデバイスのハンドオーバー、ＲＲＣの再確立、アップリンク及び／又はダウンリンクデータの到達、ＲＲＣ接続状態での測位のうちの１つ以上に使用されてもよい。ＲＡＣＨは、ＵＥデバイスがＮＷにアクセスし、様々なＵＥデバイスからのアップリンク信号と同期し、直交するリソースを取得することを可能にするための重要な手順である。このため、ＮＷによる検出の成功を保証することは重要である。現在３ＧＰＰ仕様では、（ａ）様々なＵＥデバイスによる、直交するプリアンブル又は優れた相互相関特性を有するプリアンブルなどの様々なＰＲＡＣＨプリアンブルの使用、（ｂ）ＵＥデバイスによる複数のＲＡＣＨ試行（ＮＷ構成に依存する）、（ｃ）連続するＲＡＣＨ試行での電力のランプアップ、といった様々な方法が使用されている。
【００４３】
ＵＥデバイスのリンクバジェットが制限されている場合、ＰＲＡＣＨ（物理ランダムアクセスチャネル）の不良な受信の影響を緩和するためのメカニズムが必要とされる。ＵＥデバイスのリンクバジェットは、例えば、そのアンテナシステムの性能が低い場合、又は信号を受信できない場所（建物の地下など）にＵＥデバイスが存在する場合に制限され得る。
【００４４】
３ＧＰＰのＰＲＡＣＨ仕様
図５Ａは、既存のＬＴＥ仕様に従った、物理ランダムアクセスチャネル（ＰＲＡＣＨ）内のプリアンブル５００を示す。ＵＥデバイスは、ランダムアクセス手順を開始するために、アップリンクフレーム５１０内でＰＲＡＣＨプリアンブルを送信する。（アップリンクフレームは複数のサブフレームを含む。）アップリンクフレーム内のＰＲＡＣＨプリアンブルの時間オフセット及び周波数オフセットは、より上位の層のシグナリングによって特定されてもよい。
【００４５】
図５Ｂは、既存のＬＴＥ仕様に従った、ＰＲＡＣＨプリアンブルの１つの特定の具現化を示す。周波数の場合、ＰＲＡＣＨプリアンブル（先頭及び末尾のガードサブキャリアを含む）は６ＲＢ＝１．０８ＭＨｚにわたる。時間の場合、サイクリックプレフィクス（ＣＰ）及びガード時間（guard time、ＧＴ）を含むＰＲＡＣＨプリアンブルは、１つのアップリンクサブフレームにわたる。
【００４６】
ＰＲＡＣＨプリアンブルの形式０〜３はそれぞれ、長さ８３９のＺａｄｏｆｆ−Ｃｈｕシーケンスを使用するのに対し、形式４は長さ１３９のＺａｄｏｆｆ−Ｃｈｕシーケンスを使用する。
【００４７】
ＰＲＡＣＨプリアンブルは、アップリンク帯域幅（ＵＬ  ＢＷ）内で６個のリソースブロック（ＲＢ）を占有する。
【００４８】
１つのＰＲＡＣＨサブキャリアが１．２５ｋＨｚを占有するのに対し、通常のＵＬサブキャリアは１５ｋＨｚを占有する。Ｚａｄｏｆｆ−Ｃｈｕシーケンスのシンボルは、ＰＲＡＣＨサブキャリアのそれぞれの１つで送信される。
【００４９】
ＰＲＡＣＨプリアンブルに関連して、図６は期間ＴＣＰのサイクリックプレフィクス（ＣＰ）及び期間ＴＳＥＱのシーケンス部分を示す。（シーケンス部分はＺａｄｏｆｆ−Ｃｈｕシーケンスを含む。）以下の表１は、ＰＲＡＣＨプリアンブルの様々な形式でのＴＣＰ及びＴＳＥＱの値を示す。
【００５０】
【表１】
0006422999.tif 000002
【００５１】
ＲＡＣＨ手順の概要
ＲＡＣＨ手順は、図７に示すようにＵＥと基地局との間で送信される、一連のメッセージを必要とし得る。
【００５２】
第１のメッセージ（ＭＳＧ１）では、ＵＥは基地局（すなわち、ＬＴＥの用語ではｅＮｏｄｅＢ）へとＰＲＡＣＨプリアンブルを送信する。ＰＲＡＣＨプリアンブルは、上述の形式のうちの１つに従って構成されてもよい。
【００５３】
第１のメッセージを復号したことに応じて、ｅＮｏｄｅＢは第２のメッセージ（ＭＳＧ２）を送信する。第２のメッセージはランダムアクセス応答（random access response、ＲＡＲ）と呼ばれることもある。
【００５４】
第２のメッセージを復号したことに応じて、ＵＥは第３のメッセージ（ＭＳＧ３）を送信してもよい。異なるコンテキスト内では第３のメッセージの内容は異なってもよく、例えば、ＲＡＣＨ手順が呼び出された目的によって異なってもよい。例えば、第３のメッセージはＲＲＣ要求のＳＲなどを含んでもよい（ＳＲはスケジューリング要求（Scheduling Request）の頭字語）。
【００５５】
第３のメッセージを受信したことに応じて、ｅＮｏｄｅＢは第４のメッセージ（ＭＳＧ４）、例えば、競合解決メッセージを送信してもよい。
【００５６】
範囲拡張のためのＰＲＡＣＨに関する提案
いくつかの実施形態では、特にリンクバジェットが制限されたＵＥデバイス（例えば、範囲の制約があるＵＥデバイス）による使用を目的とした、（時間及び／又は周波数領域での）プリアンブル及びリソースの新しいセットを作成する。
【００５７】
ＰＲＡＣＨプリアンブル送信のロバスト性を改善するために、ＰＲＡＣＨプリアンブルに関する数値が変更されてもよく、この数値は、
ＺＣ（Ｚａｄｏｆｆ−Ｃｈｕ）シーケンスの長さ、
ＰＲＡＣＨプリアンブルのサブキャリア間隔、
ＰＲＡＣＨプリアンブルが及ぶサブフレーム数、及び
ＰＲＡＣＨプリアンブル内のＺＣシーケンスの繰り返し数のうちの１つ以上を含む。
【００５８】
いくつかの実施形態では、新しいプリアンブルのうちの１つ以上は複数のサブフレームに及んでもよい。
【００５９】
ロバスト性を改善させるための別の方法は、単一のランダムアクセス試行の一部としてＰＲＡＣＨプリアンブルの複数のインスタンスを送信するようにＵＥを構成することである。この特徴によって、ｅＮＢは、ＰＲＡＣＨプリアンブルの時間領域の繰り返しを結合することの利点を得ることができる。現在の３ＧＰＰ仕様では、各ＲＡＣＨ試行は従来のＰＲＡＣＨプリアンブルの単一の送信のみを含み、そのＲＡＣＨ試行はＮＷによって、独立して、すなわち、任意の他のＲＡＣＨ試行とは独立して扱われる。ＵＥがＭＳＧ２を受信しなかった場合、ＵＥは別のＲＡＣＨ試行を行う。
【００６０】
ｅＮＢがＰＲＡＣＨの繰り返しを結合することを可能にするために、ｅＮＢはＰＲＡＣＨプリアンブルの各インスタンスの送信時間を認識することが必要になり得る。例えば、いくつかの実施形態では、ｅＮＢは、第１の繰り返し（すなわち、ＰＲＡＣＨプリアンブルの複数のインスタンスのうちの１つ目）の開始時間、全ての繰り返しにわたる時間期間（すなわち、繰り返し数及び連続する繰り返し間の時間間隔）を認識することが必要になり得る。いくつかの実施形態では、リンクバジェットが制限されたＵＥデバイスは、本明細書で開示されるロバスト形式のうちの１つを使用してＰＲＡＣＨプリアンブルの各繰り返しを送信し、リンクバジェットが制限されていないデバイスは、従来の形式を使用して（繰り返しを含まない）ＰＲＡＣＨプリアンブルを送信する。
【００６１】
いくつかの実施形態では、リンクバジェットが制限されたＵＥデバイスは、連続するサブフレームのセットにわたって、ＰＲＡＣＨプリアンブルの複数の繰り返しを送信してもよい。例えば、ＰＲＡＣＨプリアンブルは１つの時間的なサブフレームに及んでもよく、リンクバジェットが制限されたＵＥデバイスは、連続するサブフレームのそれぞれで１つのＰＲＡＣＨプリアンブルの繰り返しを送信してもよい。別の実施例として、ＰＲＡＣＨプリアンブルは２つの時間的なサブフレームに及んでもよく、リンクバジェットが制限されたＵＥデバイスは、連続するサブフレームのそれぞれの連続するペアで１つのＰＲＡＣＨプリアンブルの繰り返しを送信してもよい。このため、ｅＮＢは第１の繰り返しの開始時間、及びＰＲＡＣＨの繰り返しの数を認識することが必要になり得る。
【００６２】
いくつかの実施形態では、ランダムアクセス手順のＭＳＧ２及びＭＳＧ３のロバスト性も改善されることが必要になり得る。したがって、ＵＥデバイスのリンクバジェットが制限されていることを、早期にＮＷに示すことが必要になり得る。この指示は、ＲＲＣ層のシグナリングによって提供されてもよい。
【００６３】
本特許は、以下で説明される形式を含む、ＰＲＡＣＨプリアンブルの様々な新しい形式を開示する。
【００６４】
ＰＲＡＣＨプリアンブルの新しい形式Ａ
ＰＲＡＣＨプリアンブルの新しい形式Ａは、時間領域内の３ｍｓを占有してもよい。
【００６５】
形式Ａの新しいサブキャリア間隔は１．５ｋＨｚであってもよい。１．５ｋＨｚのサブキャリア間隔の場合、１．０８ＭＨｚ内に７２０個のサブキャリアを含めることができる。ＺＣシーケンスの長さは素数である必要がある。以下のシーケンスの長さが形式Ａに対して使用されてもよい。
Ｎｚｃ＝７１９、１個のサブキャリアがガードバンドとして残される。
Ｎｚｃ＝７０９、左の６個及び右の５個のサブキャリアがガードバンドとして残される。
Ｎｚｃ＝７０１、左の１０個及び右の９個のサブキャリアがガードバンドとして残される。
Ｎｚｃ＝６９１、左の１５個及び右の１４個のサブキャリアがガードバンドとして残される。
【００６６】
形式ＡのＴｓｅｑは８１９２０Ｔｓ＝４ｘ２０４８０Ｔｓであってもよく、この場合Ｔｓ＝１／３０．７２μｓである。これは、４個のＺＣシーケンスが３個のサブフレーム内で繰り返され得ることを含意する。図８Ａは、４個のＺＣシーケンスをＰＲＡＣＨプリアンブル内に埋め込む方法の一実施形態を示す図である。
【００６７】
形式Ａでは、Ｔｃｐ＝５１２０Ｔｓ及びＧＴ＝５１２０Ｔｓである（ＣＰはサイクリックプレフィクスを示し、ＧＴはガード時間を示す）。
【００６８】
ＰＲＡＣＨプリアンブルの新しい形式Ｂ
ＰＲＡＣＨプリアンブルの新しい形式Ｂは、時間領域内の３ｍｓを占有してもよい。
【００６９】
形式Ｂの新しいサブキャリア間隔は２．５ｋＨｚであってもよい。２．５ｋＨｚのサブキャリア間隔の場合、３６０ｋＨｚ（２つのＲＢ）内に１４４個のサブキャリアを含めることができる。ＺＣシーケンスの長さは素数である必要がある。以下のシーケンスの長さが形式Ｂに対して使用されてもよい。
Ｎｚｃ＝１３９、左の２個及び右の２個のサブキャリアがガードバンドとして残される。
Ｎｚｃ＝１３１、左の７個及び右の６個のサブキャリアがガードバンドとして残される（ガードバンドは１３ｘ２．５ｋＨｚであり、これは現在の３ＧＰＰ仕様の２５ｘ１．２５ｋＨｚに相当する）。
【００７０】
形式Ｂでは、Ｔｓｅｑは８６０１６Ｔｓ＝７ｘ１２２８８Ｔｓであってもよく、この場合Ｔｓ＝１／３０．７２μｓである。これは、７個のＺＣシーケンスが３個のサブフレーム内で繰り返され得ることを意味する。
【００７１】
形式Ｂでは、Ｔｃｐ＝３１６８Ｔｓ及びＧＴ＝２９７６Ｔｓである。
【００７２】
ＰＲＡＣＨプリアンブルの新しい形式Ｃ
ＰＲＡＣＨプリアンブルの新しい形式Ｃは、時間領域内の１ｍｓを占有してもよい。
【００７３】
形式Ｃのサブキャリア間隔は１．２５ｋＨｚであってもよい。１．２５ｋＨｚのサブキャリア間隔の場合、３６０ｋＨｚ（２つのＲＢ）内に２８８個のサブキャリアを含めることができる。ＺＣシーケンスの長さは素数である必要がある。このため、例えば、以下のシーケンスの長さが形式Ｃに対して使用されてもよい。
Ｎｚｃ＝２６３、左の１３個及び右の１２個のサブキャリアがガードバンドとして残される。
【００７４】
形式Ｃでは、Ｔｓｅｑは２４５７６Ｔｓ（Ｔｓ＝１／３０．７２μｓ）、Ｔｃｐ＝３１６８Ｔｓ、及びＧＴ＝２９７６Ｔｓであってもよい。
【００７５】
ＰＲＡＣＨプリアンブルの新しい形式Ｄ
ＰＲＡＣＨの新しい形式Ｄは、時間領域内の１ｍｓを占有してもよい。
【００７６】
形式Ｄのサブキャリア間隔は２．５ｋＨｚであってもよい。２．５ｋＨｚのサブキャリア間隔の場合、３６０ｋＨｚ（２つのＲＢ）内に１４４個のサブキャリアを含めることができる。ＺＣシーケンスの長さは素数である必要がある。このため、例えば、以下のシーケンスの長さが使用されてもよい。
Ｎｚｃ＝１３９、左の３個及び右の３個のサブキャリアがガードバンドとして残される。
Ｎｚｃ＝１３１、左の５個及び右の４個のサブキャリアがガードバンドとして残される（ガードバンドは１３ｘ２．５ｋＨｚであり、これは現在の３ＧＰＰ仕様の２５ｘ１．２５ｋＨｚに相当する）。
【００７７】
形式Ｄでは、Ｔｓｅｑは２４５７６Ｔｓ＝２ｘ１２２８８Ｔｓであってもよく、この場合Ｔｓ＝１／３０．７２μｓである。これは、２個のＺＣシーケンスが１つのＴＴＩ内で繰り返され得ることを意味する。
【００７８】
上記のサブキャリア間隔の場合（すなわち、２．５ＫＨｚのサブキャリア間隔の場合）、ＰＲＡＣＨプリアンブル全体が０．５サブフレーム（１スロット）のみを占有する、すなわち、１つのＺＣシーケンスが１２２８８Ｔｓを占有する（Ｔｃｐ＝３１６８／２＝１５８４Ｔｓ及びＧＴ＝２９７６／２＝１４８８Ｔｓ）と想定することもできる。
【００７９】
形式Ａ〜Ｄは、本明細書で説明される原則に従って構成可能な、様々なあり得るＰＲＡＣＨ形式のうちの一部にすぎないことを理解されたい。
【００８０】
形式Ａ〜Ｄの使用に関する注意事項
リンクバジェットが制限されたＵＥデバイスは、これらのＰＲＡＣＨ形式のいずれかで、ＰＲＡＣＨプリアンブルを単一のランダムアクセス試行の一部として（時間領域内で）複数回送信してもよい。ＰＲＡＣＨ形式Ｃ及びＤは、形式Ａ及びＢよりも多くの再送信を必要と得る。これは、形式Ｃ及びＤが、ＰＲＡＣＨプリアンブルごとに、より少ない数のＺＣシーケンスのインスタンスを有するためである。
【００８１】
形式Ｃ及びＤでは、ＰＲＡＣＨプリアンブルによって占有される２つのＲＢが、周波数ダイバーシティを提供するために、周波数領域内で隣接していても、又は隣接していなくてもよい（例えば、アップリンク帯域幅の上端及び下端、この場合、アップリンク帯域幅は、例えば、１．４ＭＨｚ、５ＭＨｚ、又は１０ＭＨｚであり得る）。
【００８２】
ＰＲＡＣＨプリアンブルが時間領域内で繰り返される間、２つのＲＢの位置は、周波数ダイバーシティを提供するために、周波数領域内で１つの繰り返しから次の繰り返しへとホップしてもよい。
【００８３】
本明細書で説明されるＰＲＡＣＨ形式のうちの様々な形式が、ＰＲＡＣＨプリアンブルに対して２つのＲＢを使用するように構成されるが、他の実施形態では他の数のＲＢが使用されてもよい。
【００８４】
新しいＰＲＡＣＨプリアンブルの時間繰り返し
ｅＮＢが（リンクバジェットが制限されたＵＥデバイスによって送信される）ＰＲＡＣＨプリアンブルの複数の繰り返しを累算するために、ｅＮＢは繰り返しパターン及び期間を認識することが必要になり得る。いくつかの実施形態では、各構成が対応する繰り返しパターンを有する複数の構成を有することを提案する。
【００８５】
累算を実行するには、ｅＮＢは、期間がどれぐらいであるかを認識する必要がある。例えば、新しいＰＲＡＣＨプリアンブルは、まずＳＦＮがＳＦＮ％２０＝０を満たすフレーム内で送信されてもよく、直後のフレーム内、すなわち、１ＳＦＮ後で１回繰り返されてもよい。（Ｍ％Ｎは「Ｍ  ｍｏｄ  Ｎ」の省略表記である。ＳＦＮは「システムフレーム番号」（System Frame Number）の頭字語である）。現在の３ＧＰＰ仕様では、従来のＰＲＡＣＨプリアンブルの構成が、仕様３ＧＰＰ  ＴＳ３６．２１１の表５．７．１−２のコピーである、以下の表で与えられている。（ＴＳは技術仕様（Technical Specification）の頭字語である）。
【００８６】
【表２】
0006422999.tif 000003
【００８７】
いくつかの実施形態では、例えば、ＰＲＡＣＨプリアンブルの第１の送信のＳＦＮを示すための列、第１の送信の後のＰＲＡＣＨプリアンブルの繰り返し数のための列、第１の送信に対する繰り返しの時間位置のための列、及び、複数の繰り返しにわたる、ＰＲＡＣＨプリアンブルのＲＢに対する周波数ホッピングパターンを示す列のうちの１つ以上を追加することによって、この表を拡張することを提案する。
【００８８】
ＵＥデバイスは、ｅＮＢによって送信されたダウンリンク信号のＰＢＣＨ内のＭＩＢからＳＦＮを検出してもよい。ただし、ハンドオーバーの場合、ＵＥはランダムアクセス手順（ＲＡＣＨ）を開始する前にＭＩＢを読み取る必要はない。
【００８９】
いくつかの実施形態では、対象セルのＳＦＮを認識するというこの問題を解決するために、以下のうちの１つ以上を提案する。
【００９０】
（１）ＵＥがＲＡＣＨ手順を開始する前に対象セルのＭＩＢを積極的に読み取るように、ＵＥの実装を修正する。（「対象セル」は、ＵＥのハンドオーバー先となるセルを意味する。）
【００９１】
（２）ＬＴＥリリース１２以降では、全てのｅＮＢが最終的にＳＦＮ同期されるため、起点となるセル及び対象セルのＳＦＮは類似する。このため、ＵＥは、それが既にネットワーク内に入っていることを前提として、対象セルのＳＦＮを認識する。
【００９２】
（３）ＲＲＣ仕様（ＴＳ３６．３３１内）のＲＲＣ  ＩＥのＭｏｂｉｌｉｔｙＣｏｎｔｒｏｌＩｎｆｏを、この情報要素へと対象セルのＳＦＮを追加することによって修正する。
【００９３】
新しい構成インデックスのシグナリング
いくつかの実施形態では、ＮＷは、通常のＵＥ用及びリンクバジェットが制限されたＵＥ用の２つの構成をシグナリングしてもよい。
【００９４】
ＲＲＣ  ＩＥのＰＲＡＣＨ−Ｃｏｎｆｉｇは、ＲａｎｇｅＣｏｎｓｔｒａｉｎｅｄＰＲＡＣＨ−ＣｏｎｆｉｇＩｎｄｅｘを含むように拡張されてもよい。
【００９５】
リンクバジェットが制限されたＵＥに対して使用されるリソースは予約されてもよく、かつ通常のＵＥ（すなわち、リンクバジェットが制限されていないＵＥ）によって使用されるリソースと異なってもよい。これによって、ｅＮＢはそのようなプリアンブルを検出できるようになる。
【００９６】
いくつかの実施形態では、リンクバジェットが制限されたＵＥは、そのリンクバジェットが制限されたＵＥとしての状態を、新しいＰＲＡＣＨ形式（例えば、上述の新しい形式のうちの１つ）を使用したＰＲＡＣＨプリアンブルを送信することによって、ＮＷへとシグナリングする。それに対し、リンクバジェットが制限されていないＵＥは、その「リンクバジェットが制限されていない」状態を、従来のＰＲＡＣＨ形式を使用したＰＲＡＣＨプリアンブルを送信することによって、ＮＷへとシグナリングしてもよい。したがって、ｅＮＢは、任意の所与のＵＥの状態を、そのＵＥがどの形式を使用してＰＲＡＣＨプリアンブルを送信したかを判定することによって特定してもよい。
【００９７】
その後、ｅＮＢはＭＳＧ２を、ＵＥによるＭＳＧ２の正常な復号の可能性が十分に大きくなるように、例えば、ＭＳＧ２の送信に対する符号化レートを低減することによって、かつ／又はＭＳＧ２の送信を時間的に繰り返す（ＴＴＩバンドリング）ことによって送信する。同様に、ＵＥはＭＳＧ３を、ｅＮＢによるＭＳＧ３の正常な復号の可能性が十分に大きくなるように、例えば、ＭＳＧ２の送信に対する符号化レートを低減することによって、かつ／又はＭＳＧ３の送信を時間的に繰り返すことによって送信してもよい。（ＭＳＧ３に対するリソースは、ＭＳＧ２のペイロード内で提供されてもよい。）
【００９８】
いくつかの実施形態では、ｅＮＢはまた、リンクバジェットが制限されたＵＥ（又はそのサブセット）を、ｅＮＢよりも優れたカバレッジを有する１つ以上の小セルへとオフロードすることを決定してもよい。
【００９９】
以下の表では、ＰＲＡＣＨ−Ｃｏｎｆｉｇフィールドの記述について説明する。
【０１００】
【表３】
0006422999.tif 000004
【０１０１】
周波数でのＰＲＡＣＨの繰り返し
いくつかの実施形態では、リンクバジェットが制限されたＵＥデバイスは、単一のランダムアクセス試行の一部として、新しいＲＡＣＨ形式を（上述の時間領域内での繰り返しに加えて又はその代替として）周波数領域内で繰り返してもよい。図８Ｂは、ＵＬ周波数帯域の分離された部分を占有するが、時間的には同じ間隔８０５を占有する、２つのセグメント８１０及び８１５を含むＰＲＡＣＨプリアンブル送信を示す。（図８Ｂは２つのセグメントを含むＰＲＡＣＨプリアンブル送信を示すが、より一般的には、任意の数のセグメントがＰＲＡＣＨプリアンブル送信に含まれてもよい。）セグメントのそれぞれの内容及び構造は同一であってもよく、例えば、同じＺＣシーケンスの同じ数のインスタンスを含んでもよい。セグメントは周波数ダイバーシティの利点を提供するために周波数領域内で分割されてもよく、例えば、システム帯域幅の上端で３ＲＢ（又は１ＲＢ）、システム帯域幅の下端で残りの３ＲＢ（又は１ＲＢ）に分割される。各セグメントの形式は、様々に上述されたようであってもよい。
【０１０２】
いくつかの実施形態では、初期ＰＲＡＣＨプリアンブル送信の後に、例えば、様々に上述されたような、ＰＲＡＣＨプリアンブルの１つ以上の再送信の時間的なシーケンスが続いてもよい。ＰＲＡＣＨプリアンブル送信のそれぞれ（すなわち、初期送信及び再送信）は、直上で述べたような複数のセグメントを含んでもよい。例えば、各ＰＲＡＣＨプリアンブル送信は、対応する時間期間を占有し、かつＵＬ周波数帯域の異なる部分を占有してもよい。
【０１０３】
ＰＲＡＣＨシーケンスによるドップラーの指示
上述のように、ＰＲＡＣＨシーケンスは、時間的に分割された複数のサブフレームにわたって送信されてもよい。ｅＮＢによるシーケンスの検出中に最大の利得を得るために、ｅＮＢはドップラーシフト又はドップラーシフトの範囲を認識することが必要になり得る。ドップラーシフトの大きさが小さい場合はサブフレーム間でチャネルがあまり変化していないため、ｅＮＢは、複数のサブフレームにわたる相互相関の複素数値を結合してもよい。ただし、ドップラーシフトの大きさが大きい場合、ｅＮＢは、複素数値に対応するエネルギー値を計算し（すなわち、ｚ→｜ｚ｜２＝ｚｚ＊）、複素数値の代わりに複数のサブフレームにわたるエネルギー値を結合してもよい。
【０１０４】
いくつかの実施形態では、ＺＣシーケンスを複数のセット（例えば、２つ又は３つのセット）へと分割することを提案する。例えば、ドップラーシフトが低いときは、ＺＣシーケンスの第１のセットが使用されるために割り当てられてもよく、ドップラーシフトが中程度のときは、ＺＣシーケンスの第２のセットが使用されるために割り当てられてもよく、ドップラーシフトが高いときは、ＺＣシーケンスの第３のセットが使用されるために割り当てられてもよい。
【０１０５】
ＵＥ及びｅＮＢがこれらのシーケンスセットの定義について合意していることが前提となり得る。
【０１０６】
ＵＥは、そのセンサ（例えば、動きセンサ）を使用してドップラーシフトを測定してもよい。
【０１０７】
ＵＥは、測定されたドップラーに基づきシーケンスセットのうちの１つを選択してもよい。ＵＥは、ＰＲＡＣＨの複数の送信を実行するために、選択されたシーケンスセットからのＺＣシーケンスを使用する。あり得るＺＣシーケンスの空間に対して相関付けることによって、ｅＮＢは、利用されたＺＣシーケンス及び選択されたセットを特定してもよい。選択されたセットのアイデンティティは、ドップラーの大きさのカテゴリ（例えば、低、中、高）、ひいては、現在の一連のＰＲＡＣＨ送信にとって最も効果的な相関結合方法をｅＮＢに通知する。このドップラーカテゴリをシグナリングするためのメカニズムは、ｅＮＢによるＰＲＡＣＨ検出を改善する。
【０１０８】
ドップラーカテゴリ、時間パターン、及び周波数ホッピングパターンへのセットのアイデンティティのマッピング
いくつかの実施形態では、異なるドップラーカテゴリに対して定義されたＺＣシーケンスのセットはまた、異なる時間的な繰り返しパターン及び異なる周波数領域のホッピングパターンに関連付けられる。いくつかの実施形態では、３つのセットが存在し、各セットは、対応するドップラーカテゴリ（例えば、低、中、又は高）、ＰＲＡＣＨ送信が時間領域内で発生するＴＴＩのセットを定義する、ＰＲＡＣＨ送信の時間的パターン、及び、ホッピングパターンによって占有される周波数領域のＲＢのセットを定義する、対応する周波数ホッピングパターンに関連付けられる。例えば、一実施形態では、３つのセットが以下のように定義される。
【０１０９】
低ドップラー用のＳ１：２０個のシーケンスを含む。サブフレーム１でＰＲＡＣＨの第１の送信が送信され、４つのＳＦＮごとに各ＳＦＮで繰り返される。ＲＢ０：１５の範囲内でホップする。（ＲＢは「リソースブロック」（Resource Block）の頭字語、ＲＢ０：１５は、ブロック番号｛０、１、・・・、１５｝によって与えられるリソースブロック範囲の表記である。）
【０１１０】
中ドップラー用のＳ２：１５個のシーケンスを含む。サブフレーム３でＰＲＡＣＨの第１の送信が送信され、４つのＳＦＮごとに各ＳＦＮで送信が繰り返される。ＲＢ１６：３３の範囲内でホップする。
【０１１１】
高ドップラー用のＳ３：１０個のシーケンスを含む。サブフレーム２でＰＲＡＣＨの第１の送信が送信され、４つのＳＦＮごとに各ＳＦＮで送信が繰り返される。ＲＢ３５：４８の範囲内でホップする。
【０１１２】
ユーザ機器デバイスを動作させる方法９００
実施形態の１セットでは、ユーザ機器（ＵＥ）デバイスを動作させる方法９００は、図９に示すように実行されてもよい。（方法９００はまた、上述の特徴、要素、及び実施形態のうちの任意のサブセットを含んでもよい。）方法９００は、ランダムアクセス手順を容易にするために、リンクバジェットが制限されたＵＥデバイスによって実行されてもよい。方法は、リンクバジェットが制限されたＵＥデバイスの処理エージェントによって実施されてもよい。処理エージェントは、プログラム命令を実行する１つ以上のプロセッサによって、１つ以上のプログラマブルハードウェア要素によって、ＡＳＩＣなどの１つ以上の専用ハードウェアデバイスによって、又は上述の任意の組合せによって実現されてもよい。
【０１１３】
方法は、９１０で示されるように、Ｚａｄｏｆｆ−Ｃｈｕシーケンスの少なくとも３つのインスタンスを含む第１のメッセージを送信することを含んでもよい。（例えば、これは形式Ａでは４回繰り返され、形式Ｂでは７回繰り返される。）第１のメッセージは、時間−周波数リソース空間内の物理ランダムアクセスチャネル（ＰＲＡＣＨ）上で送信されてもよい。ＺＣインスタンスの数が多いほど、基地局によるメッセージ復号の可能性を向上させることができる。
【０１１４】
いくつかの実施形態では、方法９００はまた、第１のメッセージの１つ以上の再送信を実行することを含んでもよく、前述の送信及び前述の１つ以上の再送信は、第１の基地局によって送信された構成情報によって特定される時間のパターンに従って発生する。（第１のメッセージの初期送信及び１つ以上の再送信は、リンクバジェットが制限されたＵＥデバイスによる単一のランダムアクセス試行の一部として発生する。）このため、基地局は、送信及び１つ以上の再送信がいつ発生するかを予測することができ、かつ第１のメッセージの２つ以上の受信されたバージョンを結合することができ、その結果、正常な復号の可能性が向上する。
【０１１５】
いくつかの実施形態では、構成情報は、前述の送信及び前述の１つ以上の再送信を実行するためにＵＥデバイスによって使用可能な時間−周波数リソースの第１のセットが、従来のランダムアクセスプリアンブルを送信するために１つ以上の他のＵＥデバイス（例えば、リンクバジェットが制限されていないＵＥデバイス）によって使用可能な時間−周波数リソースの第２のセットと異なるように、時間のパターンを特定する。従来のランダムアクセスプリアンブルのそれぞれは、Ｚａｄｏｆｆ−Ｃｈｕシーケンスの最大２つのインスタンスを含む。
【０１１６】
いくつかの実施形態では、方法９００はまた、第１の基地局から第２の基地局へのＵＥのハンドオーバーが実行されているときに、第１のメッセージを前述の送信することの前に、第２の基地局からマスタ情報ブロック（ＭＩＢ）を受信することを含んでもよく、ＭＩＢは第２の基地局に関連付けられたシステムフレーム番号（ＳＦＮ）を含み、システムフレーム番号は、いつ第１のメッセージを前述の送信することを実行する時間になったかを判定するために使用される。
【０１１７】
いくつかの実施形態では、方法９００はまた、第１の基地局から第２の基地局へのＵＥのハンドオーバーが実行されているときに、第１の基地局から受信された、第１の基地局と第２の基地局との間で同期されるシステムフレーム番号に基づき、いつ第１のメッセージの前述の送信を実行する時間になったかを判定することを含んでもよい。
【０１１８】
いくつかの実施形態では、方法９００はまた、第１の基地局から第２の基地局へのＵＥのハンドオーバーが実行されているときに、第１の基地局によって送信される無線リソース制御（radio resource control、ＲＲＣ）情報要素を受信することを含んでもよい。ＲＲＣ情報要素は、第２の基地局に関連付けられたシステムフレーム番号を含んでもよい。システムフレーム番号は、いつ第１のメッセージの前述の送信を実行する時間になったかを判定するために使用されてもよい。
【０１１９】
いくつかの実施形態では、第１のメッセージを送信する動作及び前述の１つ以上の再送信は、ＵＥのリンクバジェットが（例えば、性能の低いアンテナシステムを備えていることによって）制限されていることを示す、記憶された情報に応じて実行される。
【０１２０】
いくつかの実施形態では、第１のメッセージを送信する動作及び前述の１つ以上の再送信は、リンクバジェットが制限された状態でＵＥが動作していることを、そのＵＥが判定したことに応じて実行される。
【０１２１】
いくつかの実施形態では、方法９００はまた、第１のメッセージを送信する動作の前に、基地局によって送信された構成情報を受信することを含んでもよい。基地局は構成情報を、例えば、システム情報ブロックＳＩＢ２の一部として送信してもよい。
【０１２２】
いくつかの実施形態では、構成情報は、タイミングパターンの既定のセットから時間のパターンを特定し、これらのタイミングパターンのそれぞれは。例えば、各タイミングパターンは、第１のメッセージの前述の送信に対して許可された時間、及び１つ以上の再送信に対する、対応する送信間の時間間隔を示してもよい。
【０１２３】
いくつかの実施形態では、第１のメッセージは、Ｚａｄｏｆｆ−Ｃｈｕシーケンスの前述の少なくとも３つのインスタンスを伝達するための複数のサブキャリアを含み、これらのサブキャリアの間隔は１．２５ｋＨｚよりも大きい。
【０１２４】
いくつかの実施形態では、第１のメッセージは２つ以上の送信時間間隔（ＴＴＩ）にわたる。
【０１２５】
いくつかの実施形態では、方法９００はまた、基地局によって送信された第２のメッセージ（例えば、ランダムアクセス応答）を受信することを含んでもよく、第２のメッセージは、基地局が第１のメッセージを正常に復号したことに応じて、基地局によって送信される。
【０１２６】
いくつかの実施形態では、第２のメッセージは、基地局によって２回以上及び／又はより低い符号化レートで送信される。
【０１２７】
いくつかの実施形態では、第２のメッセージは基地局によって、従来のランダムアクセス応答メッセージ（例えば、既存の３ＧＰＰ規格で定義されているような従来のＲＡＲメッセージ）よりも低い符号化レートで送信される。
【０１２８】
いくつかの実施形態では、方法９００はまた、基地局からの第２のメッセージを正常に復号したことに応じて、第３のメッセージを基地局へと送信することを含む。第３のメッセージは、（ａ）従来のＰＵＳＣＨメッセージよりも低い符号化データレートで、かつ／又は（ｂ）時間的に繰り返し送信されてもよい。
【０１２９】
基地局を動作させる方法
実施形態の１セットでは、基地局（ＢＳ）を動作させる方法１０００は、図１０に示すように実行されてもよい。（方法１０００はまた、上述の特徴、要素、及び実施形態のうちの任意のサブセットを含んでもよい。）方法１０００は、リンクバジェットが制限されたＵＥデバイスに対するランダムアクセス手順を容易にするために実行されてもよい。方法は、基地局の処理エージェント、例えば、様々に上述されるような処理エージェントによって実施されてもよい。
【０１３０】
１０１０では、方法は、リンクバジェットが制限された１つ以上のユーザ機器（ＵＥ）デバイスに対する第１の構成情報を送信することを含んでもよい。リンクバジェットが制限されたＵＥデバイスのそれぞれは、ランダムアクセスプリアンブルを送信し、かつランダムアクセスプリアンブルの１つ以上の再送信を実行するように構成されてもよい。ランダムアクセスプリアンブルは、Ｚａｄｏｆｆ−Ｃｈｕシーケンスの１つ以上のインスタンスを含む。第１の構成情報は、ランダムアクセスプリアンブルの前述の送信及び前述の１つ以上の再送信に対する時間のパターン（及び／又は周波数ホッピングパターンなどの他の構成特徴）を示す。いくつかの実施形態では、ランダムアクセスプリアンブルはＺａｄｏｆｆ−Ｃｈｕシーケンスの少なくとも３つのインスタンスを含む。
【０１３１】
いくつかの実施形態では、動作１０１０は省略されてもよい。例えば、時間のパターン（及び／又は他の構成特徴）について、基地局及びリンクバジェットが制限された１つ以上のＵＥデバイス（又はそれらのデバイスのサブセット）によって予め合意がなされていてもよい。このため、第１の構成情報の送信は不要となる。
【０１３２】
１０１５では、方法は、第１のデータレコード、すなわち、サンプルのセットを取得するために、１つ以上のＵＥデバイスのうちの第１のＵＥデバイスからのランダムアクセスプリアンブルの前述の送信を受信することを含んでもよい。
【０１３３】
１０２０では、方法は、１つ以上の追加のデータレコードをそれぞれ取得するために、第１のＵＥデバイスからのランダムアクセスプリアンブルの前述の１つ以上の再送信を受信することを含んでもよい。
【０１３４】
１０２５では、方法は、第１のデータレコード及び１つ以上の追加のデータレコードに基づきランダムアクセスプリアンブルを復号することを含んでもよい。
【０１３５】
いくつかの実施形態では、方法１０００はまた、リンクバジェットが制限されていない１つ以上のＵＥデバイスに対する第２の構成情報を送信することを含んでもよい。リンクバジェットが制限されていないＵＥデバイスのそれぞれは、第２の構成情報によって特定されたタイミングに基づき第２のランダムアクセスプリアンブルを送信するように構成されてもよい。（第２のランダムアクセスプリアンブルは、従来のプリアンブルの形式に準拠してもよい。）リンクバジェットが制限されていないＵＥデバイスのうちの任意の所与の１つによって送信される第２のランダムアクセスプリアンブルは、ＵＥデバイスによって選択されたＺａｄｏｆｆ−Ｃｈｕシーケンスの最大２つのインスタンスを含む。
【０１３６】
いくつかの実施形態では、第１の構成情報及び第２の構成情報は、ランダムアクセスプリアンブルの前述の送信及び前述の１つ以上の再送信を実行するために第１のＵＥデバイスによって使用可能な時間−周波数リソースの第１のセットが、第２のランダムアクセスプリアンブルを送信するためにリンクバジェットが制限されていない１つ以上のＵＥデバイスによって使用可能な時間−周波数リソースの第２のセットと異なるように、基地局によって特定される。
【０１３７】
いくつかの実施形態では、方法１０００はまた、ランダムアクセスプリアンブルを復号したことに応じて、ランダムアクセス応答を第１のＵＥデバイスへと送信することを含んでもよく、ランダムアクセス応答は、（ａ）従来のランダムアクセス応答よりも低い符号化レートで、かつ／又は（ｂ）複数の時間的な繰り返しを使用して送信される。
【０１３８】
いくつかの実施形態では、方法１０００はまた、第１のＵＥデバイスからメッセージを受信することを含んでもよく、第１のＵＥデバイスはランダムアクセス応答を受信した後にメッセージを送信し、メッセージは通常のＰＵＳＣＨメッセージよりも低い符号化レートで、かつ／又は複数の時間的な繰り返しを使用して送信される。
【０１３９】
いくつかの実施形態では、第１の構成情報は、（ＵＥデバイスに認識されている）時間パターンの所定のセットから時間のパターンを特定する。
【０１４０】
いくつかの実施形態では、ランダムアクセスプリアンブルは、Ｚａｄｏｆｆ−Ｃｈｕシーケンスの前述の少なくとも３つのインスタンスを伝達するための複数のサブキャリアを含み、これらのサブキャリアの間隔は１．２５ｋＨｚよりも大きい。
【０１４１】
いくつかの実施形態では、ランダムアクセスプリアンブルは２つ以上の送信時間間隔／サブフレーム（ＴＴＩ）にわたる。
【０１４２】
シーケンスセットの選択を介したドップラーカテゴリのシグナリングを使用するユーザ機器
実施形態の１セットでは、ユーザ機器（ＵＥ）デバイスを動作させる方法１１００は、図１１に示すように実行されてもよい。（方法１１００はまた、上述の特徴、要素、及び実施形態のうちの任意のサブセットを含んでもよい。）方法１１００は、リンクバジェットが制限されたＵＥデバイスに対するランダムアクセス手順を容易にするために実行されてもよい。方法は処理エージェントによって実施されてもよい。処理エージェントは、プログラム命令を実行する１つ以上のプロセッサによって、１つ以上のプログラマブルハードウェア要素によって、ＡＳＩＣなどの１つ以上の専用ハードウェアデバイスによって、又は上述の任意の組合せによって実現されてもよい。
【０１４３】
１１１０では、処理エージェントはＺａｄｏｆｆ−Ｃｈｕシーケンスの複数のセットからセットを選択してもよい。選択は、基地局に対するＵＥデバイスのドップラーシフトの大きさの測定値に基づいてもよい。（代替実施形態では、選択は、基地局へとシグナリングされる何らかの他の特性又はデータ値若しくはデータ値の範囲に基づいてもよい）。複数のセットの中から選択されたセットのアイデンティティは、相関累算方法を特定するために、基地局によって使用可能である。各セットは、複数のＺａｄｏｆｆ−Ｃｈｕシーケンスを含んでもよい。
【０１４４】
相関累算方法は、例えば、複素数値累算方法及びエネルギー累算方法から、例えば、様々に上述されるように選択されてもよい。選択が発生する累算方法のセットはまた、他の方法を含んでもよい。
【０１４５】
１１１５では、処理エージェントは第１のメッセージの２つ以上の送信を実行してもよい。第１のメッセージは、選択されたセットから選択された特定のＺａｄｏｆｆ−Ｃｈｕシーケンスの１つ以上のインスタンスを含んでもよい。
【０１４６】
いくつかの実施形態では、２つ以上の送信は、複数の時間間隔にわたる周波数ホッピングを使用して実行される。上述のセットのうちの異なる１つは、周波数ホッピングの異なるパターンに関連付けられてもよい。
【０１４７】
いくつかの実施形態では、２つ以上の送信は、複数のあり得る時間的な繰り返しパターンのうちの１つに従って実行されてもよい。セットのうちの異なる１つは、時間的な繰り返しパターンのうちの異なる１つに関連付けられてもよい。
【０１４８】
実施形態の１セットでは、ユーザ機器（ＵＥ）デバイスを動作させる方法１２００は、図１２に示すように実行されてもよい。（方法１２００はまた、上述の特徴、要素、及び実施形態のうちの任意のサブセットを含んでもよい。）方法１２００は、リンクバジェットが制限されたＵＥデバイスに対するランダムアクセス手順を容易にするために実行されてもよい。方法１２００は処理エージェントによって実施されてもよい。処理エージェントは、プログラム命令を実行する１つ以上のプロセッサによって、１つ以上のプログラマブルハードウェア要素によって、ＡＳＩＣなどの１つ以上の専用ハードウェアデバイスによって、又は上述の任意の組合せによって実現されてもよい。
【０１４９】
１２１０では、処理エージェントは、基地局に対するＵＥのドップラーシフトの大きさの測定値に基づき、複数のセットからセットを選択してもよい。セットのそれぞれは、複数のＺａｄｏｆｆ−Ｃｈｕシーケンスを含む。セットのうちの異なる１つは、ドップラーシフトの大きさの異なる範囲へと割り当てられている。
【０１５０】
１２１５では、処理エージェントは第１のメッセージの２つ以上の送信を実行してもよく、第１のメッセージは、選択されたセットから選択された特定のＺａｄｏｆｆ−Ｃｈｕシーケンスの１つ以上のインスタンスを含む。これらの送信によって、ＵＥデバイスは、その測定されたドップラーシフトの大きさに関する情報を基地局へとシグナリングする。基地局は、第１のメッセージの２つ以上のインスタンスにわたる相関データの結合のための適切な方法を特定するために、選択されたセットのアイデンティティを使用してもよい。
【０１５１】
いくつかの実施形態では、基地局は、第１のメッセージの２つ以上の送信に応じてシンボルデータを受信し、特定のＺａｄｏｆｆ−Ｃｈｕシーケンスを特定する情報、及び複数のセットの中から選択されたセットを特定する情報を取得するために、シンボルデータに対して相関処理を実行し、選択されたセットを特定する情報に基づき、複素数値累算方法及びエネルギー累算方法から相関累算方法を選択し、選択された相関累算方法に従って２つ以上の相関シーケンスを累算する、ように構成されてもよく、２つ以上の相関シーケンスのそれぞれは、特定のＺａｄｏｆｆ−Ｃｈｕシーケンスとのシンボルデータのそれぞれの部分の相関によって生成され、シンボルデータの部分のそれぞれは、２つ以上の送信のうちの１つで、特定のＺａｄｏｆｆ−Ｃｈｕシーケンスのそれぞれのインスタンスに対応する。
【０１５２】
いくつかの実施形態では、２つ以上の送信のそれぞれは異なる時間間隔で発生し、第１の時間間隔での、送信のうちの１つ目は周波数リソースの第１のセットを占有し、第２の時間間隔での、送信のうちの２つ目は周波数リソースの第１のセットと異なる周波数リソースの第２のセットを占有する。
【０１５３】
いくつかの実施形態では、２つ以上の送信はそれぞれ、２つ以上の異なる時間間隔を占有し、２つ以上の送信を実行するために使用される周波数リソースは、複数の周波数ホッピングパターンのうちの特定の１つに従って１つの時間間隔から次の時間間隔へと変化し、複数の周波数ホッピングパターンのそれぞれは、複数のセットのうちのそれぞれの１つに関連付けられる。
【０１５４】
いくつかの実施形態では、基地局は、第１のメッセージの２つ以上の送信に応じてシンボルデータを受信し、シンボルデータのサブセットであって、シンボルデータのサブセットのそれぞれは周波数ホッピングパターンのうちのそれぞれの１つに対応し、相関処理は、特定のＺａｄｏｆｆ−Ｃｈｕシーケンスを特定する情報、及びＺａｄｏｆｆ−Ｃｈｕシーケンスの複数のセットの中から選択されたセットを特定する情報を特定する、シンボルデータのサブセットに対して相関処理を実行しシンボルデータの特定のサブセットの２つ以上のそれぞれの部分を特定のＺａｄｏｆｆ−Ｃｈｕシーケンスと相関付けることによって生成された２つ以上の相関シーケンスを累算する、ように構成され、シンボルデータの特定のサブセットは、Ｚａｄｏｆｆ−Ｃｈｕシーケンスの選択されたセットを特定する情報に基づき選択され、特定のサブセットの２つ以上の部分のそれぞれは、第１のメッセージの２つ以上の送信のうちの１つで、特定のＺａｄｏｆｆ−Ｃｈｕシーケンスのそれぞれのインスタンスに対応する。
【０１５５】
いくつかの実施形態では、２つ以上の送信は複数の時間的な繰り返しパターンのうちの１つに従って実行され、時間的な繰り返しパターンのそれぞれは、Ｚａｄｏｆｆ−Ｃｈｕシーケンスのセットのうちのそれぞれの１つに関連付けられる。
【０１５６】
いくつかの実施形態では、基地局は、第１のメッセージの２つ以上の送信に応じてシンボルデータを受信し、シンボルデータのサブセットであって、サブセットのそれぞれは時間的な繰り返しパターンのうちのそれぞれの１つに対応し、相関処理は、特定のＺａｄｏｆｆ−Ｃｈｕシーケンスを特定する情報、及びＺａｄｏｆｆ−Ｃｈｕシーケンスの複数のセットの中から選択されたセットを特定する情報を特定する、シンボルデータのサブセットに対して相関処理を実行し、累算された相関シーケンスを取得するために２つ以上の相関シーケンスを累算する、ように構成され、２つ以上の相関シーケンスはシンボルデータの特定のサブセットの２つ以上のそれぞれの部分を特定のＺａｄｏｆｆ−Ｃｈｕシーケンスと相関付けることによって生成され、シンボルデータの特定のサブセットは、Ｚａｄｏｆｆ−Ｃｈｕシーケンスの選択されたセットを特定する情報に基づき選択され、２つ以上のそれぞれの部分のそれぞれは、第１のメッセージの２つ以上の送信のうちの１つで、特定のＺａｄｏｆｆ−Ｃｈｕシーケンスのそれぞれのインスタンスに対応する。
【０１５７】
基地局はＺａｄｏｆｆ−Ｃｈｕシーケンスのセットのメンバーシップに基づき相関累算方法を選択する
実施形態の１セットでは、基地局を動作させる方法１３００は、図１３に示すように実行されてもよい。（方法１３００はまた、上述の特徴、要素、及び実施形態のうちの任意のサブセットを含んでもよい。）方法１３００は、リンクバジェットが制限されたＵＥデバイスに対するランダムアクセス手順を容易にするために実行されてもよい。方法１３００は処理エージェントによって実施されてもよい。処理エージェントは、プログラム命令を実行する１つ以上のプロセッサによって、１つ以上のプログラマブルハードウェア要素によって、ＡＳＩＣなどの１つ以上の専用ハードウェアデバイスによって、又は上述の任意の組合せによって実現されてもよい。
【０１５８】
１３１０では、処理エージェントは、例えば、様々に上述されたような、ＵＥデバイスからの第１のメッセージの２つ以上の送信に応じてシンボルデータを受信してもよい。ＵＥデバイスは、Ｚａｄｏｆｆ−Ｃｈｕシーケンスの複数のセットのうちの１つから選択された特定のＺａｄｏｆｆ−Ｃｈｕシーケンスを使用して、２つ以上の送信を実行してもよい。
【０１５９】
１３１５では、処理エージェントは、特定のＺａｄｏｆｆ−Ｃｈｕシーケンスが属するセットを特定するために、シンボルデータに対して相関処理を実行してもよい。
【０１６０】
１３２０では、処理エージェントは累算方法を使用して相関データレコードを累算してもよい。累算方法は、前述のセットのアイデンティティに基づき、複素数値累算方法又はエネルギー累算方法から選択されてもよい。
【０１６１】
いくつかの実施形態では、ＵＥデバイスは、複数の時間間隔にわたる周波数ホッピングを使用して２つ以上の送信を実行し、セットのうちの異なる１つは、周波数ホッピングの異なるパターンに関連付けられる。これらの実施形態では、方法はまた、前述のセットのアイデンティティに基づき周波数ホッピングパターンを特定することを含んでもよい。
【０１６２】
いくつかの実施形態では、ＵＥデバイスは、１つ又は複数のあり得る時間的な繰り返しパターンに従って２つ以上の送信を実行し、セットのうちの異なる１つは、異なる時間的な繰り返しパターンに関連付けられる。これらの実施形態では、方法はまた、前述のセットのアイデンティティに基づき繰り返しパターンを特定することを含んでもよい。
【０１６３】
いくつかの実施形態では、相関累算方法は、複素数値累算方法及びエネルギー累算方法から選択される。
【０１６４】
実施形態の１セットでは、基地局を動作させる方法１４００は、図１４に示すように実行されてもよい。（方法１４００はまた、上述の特徴、要素、及び実施形態のうちの任意のサブセットを含んでもよい。）方法１４００は、リンクバジェットが制限されたＵＥデバイスに対するランダムアクセス手順を容易にするために実行されてもよい。方法１４００は処理エージェントによって実施されてもよい。処理エージェントは、プログラム命令を実行する１つ以上のプロセッサによって、１つ以上のプログラマブルハードウェア要素によって、ＡＳＩＣなどの１つ以上の専用ハードウェアデバイスによって、又は上述の任意の組合せによって実現されてもよい。
【０１６５】
１４１０では、処理エージェントは、第１のメッセージの２つ以上の送信に応じてシンボルデータをＵＥデバイスから受信してもよく、第１のメッセージは特定のＺａｄｏｆｆ−Ｃｈｕシーケンスの１つ以上のインスタンスを含み、特定のＺａｄｏｆｆ−Ｃｈｕシーケンスは、Ｚａｄｏｆｆ−Ｃｈｕシーケンスの複数のセットのうちの選択された１つからＵＥデバイスによって選択されており、セットのそれぞれは、基地局に対するＵＥデバイスのドップラーシフトの大きさの異なる範囲に対応する。
【０１６６】
１４１５では、処理エージェントは、特定のＺａｄｏｆｆ−Ｃｈｕシーケンスを特定する情報、及び複数のセットの中から選択されたセットを特定する情報を特定するために、シンボルデータに対して相関処理を実行してもよい。
【０１６７】
１４２０では、処理エージェントは、選択されたセットを特定する情報に基づき、複素数値累算方法及びエネルギー累算方法から相関累算方法を選択してもよい。
【０１６８】
１４２５では、処理エージェントは、選択された相関累算方法に従って２つ以上の相関シーケンスを累算してもよい。２つ以上の相関シーケンスのそれぞれは、特定のＺａｄｏｆｆ−Ｃｈｕシーケンスとのシンボルデータのそれぞれの部分の相関によって生成されてもよい。シンボルデータの部分のそれぞれは、２つ以上の送信のうちの１つで、特定のＺａｄｏｆｆ−Ｃｈｕシーケンスのそれぞれのインスタンスに対応してもよい。
【０１６９】
いくつかの実施形態では、２つ以上の送信のそれぞれは、異なる時間間隔内で発生する。第１の時間間隔での、送信のうちの１つ目は、周波数リソースの第１のセットを占有してもよく、第２の時間間隔での、送信のうちの２つ目は、周波数リソースの第１のセットと異なる周波数リソースの第２のセットを占有してもよい。
【０１７０】
いくつかの実施形態では、２つ以上の送信はそれぞれ、２つ以上の異なる時間間隔を占有し、２つ以上の送信を実行するために使用される周波数リソースは、複数の周波数ホッピングパターンのうちの特定の１つに従って１つの時間間隔から次の時間間隔へと変化し、複数の周波数ホッピングパターンのそれぞれは、複数のセットのうちのそれぞれの１つに関連付けられる。
【０１７１】
いくつかの実施形態では、方法１４００はまた、第１のメッセージの２つ以上の送信に応じてシンボルデータを受信することと、シンボルデータのサブセットに対して相関処理を実行することであって、シンボルデータのサブセットのそれぞれは周波数ホッピングパターンのうちのそれぞれの１つに対応し、相関処理は、特定のＺａｄｏｆｆ−Ｃｈｕシーケンスを特定する情報、及びＺａｄｏｆｆ−Ｃｈｕシーケンスの複数のセットの中から選択されたセットを特定する情報を特定する、ことと、シンボルデータの特定のサブセットの２つ以上のそれぞれの部分を特定のＺａｄｏｆｆ−Ｃｈｕシーケンスと相関付けることによって生成された２つ以上の相関シーケンスを累算することであって、シンボルデータの特定のサブセットは、Ｚａｄｏｆｆ−Ｃｈｕシーケンスの選択されたセットを特定する情報に基づき選択され、特定のサブセットの２つ以上の部分のそれぞれは、第１のメッセージの２つ以上の送信のうちの１つで、特定のＺａｄｏｆｆ−Ｃｈｕシーケンスのそれぞれのインスタンスに対応する、ことと、を含んでもよい。
【０１７２】
いくつかの実施形態では、２つ以上の送信は複数の時間的な繰り返しパターンのうちの１つに従って実行され、時間的な繰り返しパターンのそれぞれは、Ｚａｄｏｆｆ−Ｃｈｕシーケンスのセットのうちのそれぞれの１つに関連付けられる。
【０１７３】
いくつかの実施形態では、方法１４００はまた、第１のメッセージの２つ以上の送信に応じてシンボルデータを受信することと、シンボルデータのサブセットに対して相関処理を実行することであって、サブセットのそれぞれは時間的な繰り返しパターンのうちのそれぞれの１つに対応し、相関処理は、特定のＺａｄｏｆｆ−Ｃｈｕシーケンスを特定する情報、及びＺａｄｏｆｆ−Ｃｈｕシーケンスの複数のセットの中から選択されたセットを特定する情報を特定する、ことと、累算された相関シーケンスを取得するために２つ以上の相関シーケンスを累算することであって、２つ以上の相関シーケンスはシンボルデータの特定のサブセットの２つ以上のそれぞれの部分を特定のＺａｄｏｆｆ−Ｃｈｕシーケンスと相関付けることによって生成され、シンボルデータの特定のサブセットは、Ｚａｄｏｆｆ−Ｃｈｕシーケンスの選択されたセットを特定する情報に基づき選択され、２つ以上のそれぞれの部分のそれぞれは、第１のメッセージの２つ以上の送信のうちの１つで、特定のＺａｄｏｆｆ−Ｃｈｕシーケンスのそれぞれのインスタンスに対応する、ことと、を含んでもよい。
【０１７４】
いくつかの実施形態では、第１のメッセージは特定のＺａｄｏｆｆ−Ｃｈｕシーケンスの２つのインスタンスを含む。
【０１７５】
複数のＰＲＡＣＨ送信にわたる周波数ホッピングの実施例
図１５は、複数のＰＲＡＣＨ送信にわたる周波数ホッピングの単純な実施例を示す。各ＰＲＡＣＨ送信は２つのＲＢを含み、対応する時間間隔内で発生する。例えば、第１のＰＲＡＣＨ送信は、時間間隔Ｔ１内で発生するＲＢ８１０及び８１５を含み、第２のＰＲＡＣＨ送信は、時間間隔Ｔ２内で発生するＲＢ８２０及び８２５を含み、第３のＰＲＡＣＨ送信は、時間間隔Ｔ３内で発生するＲＢ８３０及び８３５を含み、第４のＰＲＡＣＨ送信は、時間間隔Ｔ４内で発生するＲＢ８４０及び８４５を含む。ＲＢのペアは、異なる時間間隔内の異なる周波数位置へとホップし、それによって周波数ダイバーシティを提供する。周波数ホッピングパターンに関する様々な他の可能性、及び様々な送信パラメータが想到され、本実施例は限定することを意図するものではない。
【０１７６】
リンクバジェットが制限されたＵＥデバイスに対する連続するサブフレームにわたるＰＲＡＣＨの繰り返し
いくつかの実施形態では、リンクバジェットが制限されたＵＥデバイスは、ＰＲＡＣＨを連続するサブフレームにわたって繰り返し送信してもよく、例えば、連続するサブフレームのそれぞれで１つのＰＲＡＣＨを送信してもよい。したがって、ＳＩＢ２の情報を変更する必要がない場合がある。ＰＲＡＣＨの第１のインスタンスが送信されるサブフレームは、既存のＬＴＥ規格によって定義されるようなＳＩＢ２によって示されるサブフレームであってもよい。（既存のＬＴＥ規格下で動作するＵＥデバイスは、１つのみのＰＲＡＣＨを包含するサブフレームを送信し得る）。リンクバジェットが制限されていないＵＥデバイス（例えば、ｅＮＢに近接しているＵＥデバイス）は、１つのみのＰＲＡＣＨを包含するサブフレームを使用する従来の様式でランダムアクセスを実行してもよい。
【０１７７】
連続するサブフレームのうちの任意の１つでは、そのサブフレームに対するＰＲＡＣＨを形成する２つのＲＢは、周波数ダイバーシティからの恩恵を受けるために、隣接するか、又は周波数領域全体（例えば、１．４ＭＨｚ、５ＭＨｚ、又は１０ＭＨｚの端部）に広げられてもよい。一実施形態では、対応するサブフレーム内でＰＲＡＣＨのインスタンスを送信するために、新しいＰＲＡＣＨ形式Ｃが使用されてもよい。ただし、様々な他の形式のいずれかが使用されてもよい。
【０１７８】
ＰＲＡＣＨの繰り返し数は固定されてもよい。代替として、繰り返し数は可変であってもよく、例えば、ｅＮＢによってＵＥへとシグナリングされてもよい。例えば、信号の繰り返し数をシグナリングするために、値がＳＩＢ２内に追加されてもよい。
【０１７９】
ＰＲＡＣＨが時間領域内で繰り返される間、ＰＲＡＣＨを形成する２つのＲＢの位置は、周波数領域内で１つのサブフレームから次のサブフレームへとホップしてもよく、これによってｅＮＢは周波数ダイバーシティからの恩恵を受けることができる。ホッピングパターンは、予め特定（固定）されるか、又はｅＮＢによって送信されるシステム情報（例えば、ＳＩＢ２）内でシグナリングされてもよい。
【０１８０】
いくつかの実施形態では、リンクバジェットが制限されたＵＥデバイスによってその第１のＰＲＡＣＨ送信に使用されるＲＢは、通常のＵＥデバイスによってその唯一のＰＲＡＣＨ送信に使用されるＲＢと少なくとも部分的に重複する。（用語「通常のＵＥデバイス」は、リンクバジェットが制限されていないＵＥデバイスの同義語である。）ただし、リンクバジェットが制限されたＵＥデバイス及び通常のＵＥデバイスは、異なるＺＣシーケンス、例えば、ランダムに選択されたＺＣシーケンスを使用する。したがって、リンクバジェットが制限されたデバイス及び通常のデバイスが共通に使用されるＲＢ上で衝突しても、ＺＣシーケンスは十分に直交し得るため、ｅＮＢはデバイスのそれぞれによって送信されたＺＣシーケンスを明確に検出することができる。リンクバジェットが制限されたデバイスは、その後の連続するサブフレームで、ＰＲＡＣＨを再送信するための追加の機会を有する。
【０１８１】
他の実施形態では、リンクバジェットが制限されたＵＥデバイスによってその第１のＰＲＡＣＨ送信に使用されるＲＢは、通常のＵＥデバイスによってその唯一のＰＲＡＣＨ送信に使用されるＲＢから分離されるように構成される。
【０１８２】
図１６−連続するサブフレームにわたって送信されるＰＲＡＣＨインスタンス
実施形態の１セットでは、ＵＥデバイスを動作させる方法１６００は、図１６に示す動作を含み得る。（方法１６００はまた、上述の特徴、要素、及び実施形態のうちの任意のサブセットも含み得る。）方法１６００は、ＵＥデバイスのリンクバジェットが制限されているときに、ランダムアクセス手順を容易にするために利用されてもよい。動作は、ＵＥデバイスの処理エージェント、例えば、様々に上述されるような処理エージェントによって実行されてもよい。
【０１８３】
１６１０では、ＵＥデバイスは、基地局へのアップリンク信号の複数の連続するサブフレームにわたって、物理ランダムアクセスチャネル（ＰＲＡＣＨ）の複数のインスタンスを送信してもよい。連続するサブフレームのそれぞれは、ＰＲＡＣＨインスタンスのうちの対応する１つを含んでもよい。（複数のＰＲＡＣＨインスタンスは、ＵＥデバイスによって単一のランダムアクセス試行の一部として送信されることが好ましい。）連続するサブフレームは、単一の無線フレーム又は複数の無線フレーム内のサブフレームであってもよい。
【０１８４】
いくつかの実施形態では、連続するサブフレームのうちの１つ目で、ＰＲＡＣＨインスタンスのうちの１つ目を送信するためにＵＥデバイスによって使用されるリソースブロックは、従来のＰＲＡＣＨサブフレームを送信するために、リンクバジェットが制限されていない第２のＵＥデバイスによって使用されるリソースブロックから分離される。
【０１８５】
いくつかの実施形態では、連続するサブフレームのうちの１つ目で、ＰＲＡＣＨインスタンスのうちの１つ目を送信するために、リンクバジェットが制限されたＵＥデバイスによって使用されるリソースブロックは、従来のＰＲＡＣＨサブフレームを送信するために、リンクバジェットが制限されていない第２のＵＥデバイスによって使用されるリソースブロックと少なくとも部分的に重複する。リンクバジェットが制限されたＵＥデバイス及び第２のＵＥデバイスはそれぞれ、ＰＲＡＣＨ送信のための対応するＺＣルートをランダムに選択するように構成される。（このため、独立して選択されたＺＣルートは、基地局で一意に特定するのに十分に直交し得る。）
【０１８６】
いくつかの実施形態では、方法１６００はまた、前述の連続するサブフレームの数を示すシステム情報を（例えば、ＳＩＢ２の一部として）受信することを含んでもよい。
【０１８７】
いくつかの実施形態では、前述の連続するサブフレームの数は固定され、リンクバジェットが制限されたＵＥデバイス及び基地局によって認識されている。
【０１８８】
いくつかの実施形態では、ＰＲＡＣＨインスタンスを送信するためにリンクバジェットが制限されたＵＥデバイスによって使用されるリソースブロックは、周波数領域内で、連続するサブフレームのうちの１つから次へとホップする。
【０１８９】
いくつかの実施形態では、周波数領域内でリソースブロックがホップするときに従うホッピングパターンは固定され、リンクバジェットが制限されたＵＥデバイス及び基地局によって認識されている。
【０１９０】
いくつかの実施形態では、方法１６００はまた、周波数領域内で前述のホッピングを実行するために使用されるホッピングパターンを特定するシステム情報を（例えば、ＳＩＢ２の一部として）受信することを含んでもよい。
【０１９１】
図１７−ＰＲＡＣＨインスタンスの相関累算をサポートする基地局
実施形態の１セットでは、基地局を動作させる方法１７００は、図１７に示す動作を含み得る。（方法１７００はまた、上述の特徴、要素、及び実施形態のうちの任意のサブセットも含み得る。）方法１７００は、ＵＥデバイスのリンクバジェットが制限されているときに、ランダムアクセス手順の正常な完了を容易にするために利用されてもよい。動作は、基地局の処理エージェント、例えば、様々に上述されるような処理エージェントによって実行されてもよい。
【０１９２】
１７１０では、基地局は、ＵＥデバイスによるＰＲＡＣＨの複数のインスタンスの送信に応じて、シンボルデータを受信してもよい。複数のＰＲＡＣＨインスタンスは、複数の連続するサブフレームにわたって送信される。（複数のＰＲＡＣＨインスタンスは、ＵＥデバイスによって単一のランダムアクセス試行の一部として送信される。）複数の連続するサブフレームのそれぞれは、ＰＲＡＣＨインスタンスのうちの対応する１つを含む。
【０１９３】
１７１５では、基地局は、使用可能なＺａｄｏｆｆ−Ｃｈｕ（ＺＣ）シーケンスのセットからの、どのＺＣシーケンスが複数のＰＲＡＣＨインスタンス内に含まれるかを判定するために、シンボルデータに対して相関処理を実行してもよい。相関処理は、複数の連続するサブフレームにわたって相関データを累算する。相関データの累算は、ＰＲＡＣＨプリアンブルの正常な復号の可能性を向上させる効果を有し得る。
【０１９４】
新しいＰＲＡＣＨ形式の時間繰り返し
連続するサブフレームにわたって繰り返されるＰＲＡＣＨ送信をｅＮＢが累算するために、ｅＮＢは、繰り返されるＰＲＡＣＨ送信を送信するためにＵＥによって使用される連続するサブフレームの数を認識する必要がある。この数は固定される（例えば、２、３、４、若しくは５）か、又はｅＮＢによってシステム情報内（例えば、ＳＩＢ２の修正されたバージョン内）でシグナリングされてもよい。
【０１９５】
ｅＮＢは、ＰＲＡＣＨシーケンスを含むＲＢ（例えば、２つのＲＢ）の周波数ホッピングパターン、すなわち、連続するサブフレームのセット内での１つのサブフレームから次のサブフレームへの周波数ホッピングのパターンを認識する必要があり得る。上記と同様に、ホッピングパターンは固定される（例えば、ＵＥによって選択された各ＺＣルートシーケンスに対するホッピングシーケンス）か、又はＳＩＢ２などのシステム情報内でシグナリングされてもよい。
【０１９６】
追加のＰＲＡＣＨ送信によるリンクバジェットが制限された状態のシグナリング
いくつかの実施形態では、ｅＮＢ及びＵＥデバイスは、ｅＮＢが、ランダムアクセス手順の初期ＰＲＡＣＨメッセージング中に、所与のＵＥデバイスのリンクバジェットが制限されているかどうかを判定することを可能にするために、以下のように動作してもよい。
【０１９７】
ｅＮＢは、従来のシステム情報（ＳＩＢ２など）をセル（又はセクタ）内のＵＥデバイスへと送信してもよく、システム情報は、ＰＲＡＣＨ構成及びＰＲＡＣＨ形式などのランダムアクセス手順の特徴を制御する。例えば、ｅＮＢはＳＩＢ２内で、ＬＴＥ仕様によって定義されているように、ＰＲＡＣＨ形式０又はＰＲＡＣＨ形式２のうちの１つをシグナリングしてもよい。ランダムアクセス手順を開始するときに、任意のＵＥデバイスは、リンクバジェットが制限されているかどうかにかかわらず、ＬＴＥ仕様によって定義されているように、ｅＮＢによってシグナリングされたＰＲＡＣＨ形式及びＰＲＡＣＨ構成を使用して、１つ又は２つの連続するＰＲＡＣＨを包含するサブフレームの従来のセットを送信してもよい。（形式０は、１つのみのＰＲＡＣＨを包含するサブフレームを使用する。形式２は、２つの連続するＰＲＡＣＨを包含するサブフレームを使用する。）リンクバジェットが制限されたデバイスは、従来のサブフレームセットの後に「連続して」続く、１つ以上の追加のＰＲＡＣＨを包含するサブフレームを送信することによって処理を続行する。リンクバジェットが制限されていないＵＥデバイスは、現在のランダムアクセス手順の一部として、如何なる追加のＰＲＡＣＨを包含するサブフレームも送信しない。（任意のＵＥデバイスは、現在の手順が失敗した場合に新しいランダムアクセス手順を開始してもよい。）リンクバジェットが制限されたデバイスによって使用される、１つ以上の追加のＰＲＡＣＨを包含するサブフレームの数は、ｅＮＢによって認識されている。
【０１９８】
すなわち、任意のＵＥデバイスは、既存のＬＴＥ規格によって規定されているように１つ以上のＰＲＡＣＨ試行を送信してもよいが、リンクバジェットが制限されたＵＥデバイスは、そのリンクバジェットが制限された状態をｅＮＢへとシグナリングするために、１つ以上の追加のＰＲＡＣＨサブフレームを各試行内で送信する。１つ以上の追加のＰＲＡＣＨインスタンスは、連続するサブフレーム内で発生し、従来のサブフレームセットの最後のサブフレームの直後のサブフレーム内で開始される。
【０１９９】
ｅＮＢは、ＵＥデバイスのリンクバジェットが制限されているかどうかを、従来のサブフレームセット、並びに、従来のサブフレームセット及び１つ以上の追加のサブフレームを含むサブフレームセット全体を分析することによって判定する。ＵＥデバイスのリンクバジェットが制限されている場合は、サブフレームセット全体に対する相関処理によって、ＵＥによって選択されたＺＣシーケンスに対する重要なピーク（又は強いピーク）が特定されるべきである。ＵＥデバイスのリンクバジェットが制限されていない場合は、従来のサブフレームセットの相関処理によって、ＵＥによって選択されたＺＣシーケンスに対するピークが特定されるはずであるが、サブフレームセット全体に対する相関処理は、ＰＲＡＣＨを含まない追加のサブフレームの希薄化（相関破壊）効果によって、一意のピークを特定できない場合がある。
【０２００】
一実施例として、ｅＮＢが形式０及びサブフレーム０の使用をシグナリングした場合、リンクバジェットが制限されたＵＥデバイスは、第１のＰＲＡＣＨインスタンスを（形式０によって規定されるように）サブフレーム０で送信し、追加のＰＲＡＣＨインスタンスをサブフレーム１及び２のそれぞれで送信してもよい。それぞれの追加のＰＲＡＣＨインスタンスは、第１のＰＲＡＣＨインスタンスと同じＺＣシーケンス、及び同じ数のＰＲＡＣＨ包含リソースブロックを使用してもよい。
【０２０１】
別の実施例として、ｅＮＢが形式２及びサブフレーム０の使用をシグナリングした場合、リンクバジェットが制限されたＵＥデバイスは、形式２によって規定されるように、サブフレーム０及び１のそれぞれでＰＲＡＣＨインスタンスを送信し、その後、サブフレーム２及び３のそれぞれで追加のＰＲＡＣＨインスタンスを送信してもよい。それぞれの追加のＰＲＡＣＨインスタンスは、サブフレーム０及び１と同じＰＲＡＣＨ構成を使用してもよい。
【０２０２】
代替実施形態では、リンクバジェットが制限されたＵＥデバイスは、ＳＩＢ２によってシグナリングされたＰＲＡＣＨ形式を無視し、常に形式０又は形式２のうちの所定の１つをその初期ＰＲＡＣＨメッセージングに対して使用してもよいが、さもなければ、上記の「追加のＰＲＡＣＨ送信によるリンクバジェットが制限された状態のシグナリング」で説明したように動作してもよい。（所定の形式はｅＮＢに認識されているため、ｅＮＢは、所定の形式に従ってＰＲＡＣＨインスタンスを受信することを認識している）。
【０２０３】
例えば、ランダムアクセス手順を実行することが必要になるたびに、リンクバジェットが制限されたＵＥは、サブフレーム０及び１で形式２を送信し（形式２は２ｍｓ続く）、サブフレーム２及び３で繰り返してもよい。別の実施例として、ランダムアクセス手順を実行することが必要になるたびに、リンクバジェットが制限されたＵＥは、サブフレーム０で形式０を送信し、サブフレーム１及びサブフレーム２で繰り返してもよい。
【０２０４】
図１８−リンクバジェットが制限された状態を基地局へとシグナリングする方法
実施形態の１セットでは、ユーザ機器（ＵＥ）デバイスを動作させるための方法１８００は、図１８に示す動作を含み得る。（方法１８００はまた、上述の特徴、要素、及び実施形態のうちの任意のサブセットも含み得る。）方法１８００は、ＵＥデバイスのリンクバジェットが制限されている場合（又は制限されているとき）に、ランダムアクセス手順の正常な完了を容易にするために利用されてもよい。動作は、ＵＥデバイスの処理エージェント、例えば、様々に上述されるような処理エージェントによって実行されてもよい。
【０２０５】
１８１０では、ＵＥデバイスは、物理ランダムアクセスチャネル（ＰＲＡＣＨ）の１つ以上のインスタンスの第１のセットを、１つ以上の連続するサブフレームの第１のセットにわたってそれぞれ送信してもよい。１つ以上のＰＲＡＣＨインスタンスの第１のセットを送信する動作は、ＰＲＡＣＨの送信のための従来の形式に従って実行されてもよい。
【０２０６】
１８１５では、ＵＥデバイスは、ＰＲＡＣＨの１つ以上のインスタンスの第２のセットを、１つ以上のサブフレームの第１のセットの最後のサブフレームの直後から開始される、１つ以上の連続するサブフレームの第２のセットにわたってそれぞれ送信してもよい。第１のセットの１つ以上のＰＲＡＣＨインスタンスのそれぞれ、及び第２のセットの１つ以上のＰＲＡＣＨインスタンスのそれぞれは、同じＺａｄｏｆｆ−Ｃｈｕシーケンスを使用してもよい。
【０２０７】
動作１８１０及び１８１５は、リンクバジェットが制限されたＵＥデバイスによって、単一のランダムアクセス試行の一部として実行される。
【０２０８】
リンクバジェットが制限されていないＵＥデバイスは、ＰＲＡＣＨの１つ以上の従来のインスタンスを送信するが、１つ以上の追加のインスタンスを送信しないように構成されてもよい。このため、基地局は、ランダムアクセスを試行している所与のＵＥデバイスのリンクバジェットが制限されているかどうかを、追加のインスタンスがアップリンク信号内に存在するかどうかを判定することによって判定することができる。
【０２０９】
いくつかの実施形態では、方法１８００はまた、１つ以上のＰＲＡＣＨインスタンスの第１のセットを前述の送信することの前に、（例えば、ＳＩＢ２内の）システム情報を基地局から受信することを含んでもよい。システム情報は、少なくとも従来の形式を示してもよい。（「従来の形式」は、例えば、３ＧＰＰ  ＴＳ３６．２１１によって指定された形式であってもよい）。
【０２１０】
いくつかの実施形態では、従来の形式は、ＵＥデバイスにサービスを提供する基地局に認識されている、固定された形式であってもよい。
【０２１１】
いくつかの実施形態では、従来の形式は３ＧＰＰ  ＴＳ３６．２１１のＰＲＡＣＨ形式０に対応し、１つ以上のサブフレームの第１のセットは１つのサブフレームのみを含む。
【０２１２】
いくつかの実施形態では、従来の形式は３ＧＰＰ  ＴＳ３６．２１１のＰＲＡＣＨ形式２に対応し、１つ以上のサブフレームの第１のセットは厳密に２つのサブフレームを含む。
【０２１３】
いくつかの実施形態では、第１のセットの各サブフレーム及び第２のセットの各サブフレームに対するＰＲＡＣＨ構成（例えば、ＰＲＡＣＨ包含リソースブロックの数、ＺＣシーケンスの繰り返しの数、ＺＣシーケンスの長さ）は同一である。
【０２１４】
実施形態の１セットでは、ユーザ機器（ＵＥ）デバイスを動作させるための方法１９００は、図１９に示す動作を含み得る。（方法１９００はまた、上述の特徴、要素、及び実施形態のうちの任意のサブセットも含み得る。）方法１９００は、ＵＥデバイスのリンクバジェットが制限されている場合（又は制限されているとき）に、ランダムアクセス手順の正常な完了を容易にするために利用されてもよい。動作は、ＵＥデバイスの処理エージェント、例えば、様々に上述されるような処理エージェントによって実行されてもよい。
【０２１５】
１９１０では、ＵＥデバイスは、第１の物理ランダムアクセスチャネル（ＰＲＡＣＨ）を含む、１つ以上の連続するサブフレームの第１のセットを送信してもよい。第１のＰＲＡＣＨは、ＰＲＡＣＨ送信のための従来の形式に従って送信されてもよい。
【０２１６】
１９１５では、ＵＥデバイスは、第１のＰＲＡＣＨの１つ以上の繰り返しを含む、１つ以上の連続するサブフレームの第２のセットを送信してもよい。１つ以上の連続するサブフレームの第２のセットは、１つ以上のサブフレームの第１のセットの最後のサブフレームの直後から開始されてもよい。１つ以上のＰＲＡＣＨの繰り返しのそれぞれは、第１のＰＲＡＣＨと同じＺａｄｏｆｆ−Ｃｈｕシーケンスを使用してもよい。
【０２１７】
動作１９１０及び１９１５は、リンクバジェットが制限されたＵＥデバイスによって、単一のランダムアクセス試行の一部として実行される。
【０２１８】
実施形態の１セットでは、基地局を動作させる方法２０００は、図２０に示す動作を含み得る。（方法２０００はまた、上述の特徴、要素、及び実施形態のうちの任意のサブセットも含み得る。）方法２０００は、ＵＥデバイスのリンクバジェットが制限されている場合（又は制限されているとき）に、ランダムアクセス手順の正常な完了を容易にするために利用されてもよい。動作は、基地局の処理エージェント、例えば、様々に上述されるような処理エージェントによって実行されてもよい。
【０２１９】
２０１０では、基地局は、ＵＥデバイスによる第１の送信に応じて第１のシンボルデータセットを受信してもよく、第１の送信は、それぞれが１つ以上の連続するサブフレームの第１のセットにわたる、物理ランダムアクセスチャネル（ＰＲＡＣＨ）の１つ以上のインスタンスの第１のセットを含み、前述の第１の送信は、ＰＲＡＣＨの送信のための従来の形式に従って実行される。
【０２２０】
２０１５では、基地局は、ＵＥデバイスによる後続の送信に応じて第２のシンボルデータセットを受信してもよく、後続の送信は、１つ以上のサブフレームの第１のセットの最後のサブフレームの直後から開始される、１つ以上の連続するサブフレームの第２のセットを含む。
【０２２１】
２０２０では、基地局は、１つ以上の連続するサブフレームの第２のセットが、１つ以上のＰＲＡＣＨインスタンスの第１のセットに加えて１つ以上のＰＲＡＣＨインスタンスを含むかどうかを判定するために、第１のシンボルデータセット及び第２のシンボルデータセットの和集合に対して相関処理を実行してもよく、１つ以上の追加のＰＲＡＣＨインスタンスは、存在する場合、第１のセットの１つ以上のＰＲＡＣＨインスタンスと同じＺＣシーケンスを使用するものと見なされる。
【０２２２】
２０２５では、１つ以上の連続するサブフレームの第２のセットが１つ以上のＰＲＡＣＨインスタンスの第１のセットに加えて１つ以上のＰＲＡＣＨインスタンスを含むことを判定したことに応じて、基地局は、ＵＥデバイスのリンクバジェットが制限されていることの指示をメモリ内に記憶してもよい。
【０２２３】
いくつかの実施形態では、方法２０００はまた、第１のシンボルデータセットを前述の受信することの前に、少なくとも従来の形式を示すシステム情報を送信することを含んでもよい。
【０２２４】
いくつかの実施形態では、従来の形式は、基地局に認識されている固定された形式である。
【０２２５】
いくつかの実施形態では、方法２０００はまた、ＵＥデバイスのリンクバジェットが制限されていることの指示に応じて、リンクバジェットが制限されていないＵＥデバイスがランダムアクセスを試行しているときに使用されるものよりも低い符号化レート（又は高い冗長性）を使用して、ランダムアクセス手順の１つ以上のメッセージをＵＥデバイスへと送信することを含んでもよい。
【０２２６】
いくつかの実施形態では、方法２０００はまた、ＵＥデバイスのリンクバジェットが制限されていることの指示に応じて、リンクバジェットが制限されていないＵＥデバイスがランダムアクセスを試行しているときに使用されるものよりも低い符号化レート（又は高い冗長性）を使用して、ダウンリンクペイロードデータをＵＥデバイスへと送信することを含んでもよい。
【０２２７】
ＵＥデバイスのリンクバジェットが制限された状態に関する記憶された指示は、そのＵＥデバイスに対する特殊な処理手順、例えば、様々に上述されるようなランダムアクセス手順の、例えば、ＭＳＧ２及び／若しくはＭＳＧ４の送信のため、並びに／又は、ＭＳＧ３の受信のための処理手順を呼び出すために、基地局によって使用されてもよい。
【０２２８】
実施形態の１セットでは、基地局を動作させる方法２１００は、図２１に示す動作を含み得る。（方法２１００はまた、上述の特徴、要素、及び実施形態のうちの任意のサブセットも含み得る。）方法２１００は、ＵＥデバイスのリンクバジェットが制限されている場合（又は制限されているとき）に、ランダムアクセス手順の正常な完了を容易にするために利用されてもよい。動作は、基地局の処理エージェント、例えば、様々に上述されるような処理エージェントによって実行されてもよい。
【０２２９】
２１１０では、基地局は、ＵＥデバイスによる第１の送信に応じて第１のシンボルデータセットを受信してもよく、第１の送信は、第１の物理ランダムアクセスチャネル（ＰＲＡＣＨ）を含む、１つ以上の連続するサブフレームの第１のセットの送信であり、前述の第１のＰＲＡＣＨは、ＰＲＡＣＨ送信のための従来の形式に従って送信される。
【０２３０】
２１１５では、基地局は、ＵＥデバイスによる後続の送信に応じて第２のシンボルデータセットを受信してもよく、後続の送信は、１つ以上の連続するサブフレームの第２のセットの送信であり、１つ以上の連続するサブフレームの第２のセットは、１つ以上のサブフレームの第１のセットの最後のサブフレームの直後から開始される。
【０２３１】
２１２０では、基地局は、１つ以上の連続するサブフレームの第２のセットが、第１のＰＲＡＣＨの１つ以上の繰り返しを含むかどうかを判定するために、第１のシンボルデータセット及び第２のシンボルデータセットの和集合に対して相関処理を実行してもよく、第１のＰＲＡＣＨの１つ以上の繰り返しは、存在する場合、第１のＰＲＡＣＨと同じＺａｄｏｆｆ−Ｃｈｕシーケンスを使用するものと見なされる。
【０２３２】
２１２５では、１つ以上の連続するサブフレームの第２のセットが第１のＰＲＡＣＨの１つ以上の繰り返しを含むことを判定したことに応じて、基地局は、ＵＥデバイスのリンクバジェットが制限されていることの指示をメモリ内に記憶してもよい。
【０２３３】
従来のＰＲＡＣＨシーケンスセットに関する背景
３ＧＰＰ  ＴＳ３６．２１１には、ＰＲＡＣＨに対する論理ルートシーケンス番号及び対応する物理ルートシーケンス番号のリストが指定されている。ＴＳ３６．２１１の表５．７．２−４を示す図２２を参照されたい。ｅＮＢは、ＳＩＢ２内で論理ルートシーケンス番号をシグナリングする。ＵＥはその後、（同じくＳＩＢ２内でシグナリングされる）Ｎｃｓ、及び、シグナリングされた論理ルートシーケンス番号から始まる、連続する論理ルートシーケンス番号にそれぞれ対応する物理ルートシーケンス番号に基づき、６４個のＺａｄｏｆｆ−Ｃｈｕシーケンスのセットを生成する。具体的には、ｅＮＢは、６４個のシーケンスが生成されるまで、第１の物理ルートシーケンス番号が使い果たされるまで第１の物理ルートシーケンス番号を使用する循環シフトに基づき、シーケンスの第１のサブセットを生成し、その後、第２の物理ルートシーケンス番号が使い果たされるまで第２の物理ルートシーケンス番号を使用する循環シフトに基づき、シーケンスの第２のサブセットを生成し、以下同様の処理を実行する。
【０２３４】
図２３は、３ＧＰＰ  ＴＳ３６．２１１からの表５．７．２−２（「Ｎｃｓ  ｆｏｒ  ｐｒｅａｍｂｌｅ  ｇｅｎｅｒａｔｉｏｎ，ｐｒｅａｍｂｌｅ  ｆｏｒｍａｔｓ  ０−３」）のコピーである。この表は、ｚｅｒｏＣｏｒｒｅｌａｔｉｏｎＺｏｎｅＣｏｎｆｉｇの関数として、制限付きセット及び非制限セットに対するＮＣＳの値を示す。
【０２３５】
また、ｅＮＢはＰＲＡＣＨ構成をＵＥへとシグナリングする。ＰＲＡＣＨ構成は、どのサブフレームがＰＲＡＣＨプリアンブルを送信するためにＵＥによって使用され得るかを判定する。プリアンブル形式０〜３に対するフレーム構造タイプ１のランダムアクセス構成を示す表を提供する、図２４を参照されたい。この表は、サブフレームごとに、ＰＲＡＣＨプリアンブル送信に対して許可されるサブフレームを示す。
【０２３６】
リンクバジェットが制限されたＵＥデバイスを特定するための提案
実施形態の１セットでは、リンクバジェットが制限されたデバイスのために１つ以上（例えば、１つ、２つ、又は３つ）の予約された論理ルートシーケンス番号を有することを提案する。Ｚａｄｏｆｆ−Ｃｈｕシーケンスの特殊なセットを生成するために、１つ以上の予約された論理ルートシーケンス番号に対応する１つ以上の物理ルートシーケンス番号が使用され、リンクバジェットが制限されたＵＥデバイスは、この特殊なセットからのランダムな選択を実行する。特殊なセットは、従来のＵＥデバイスによって使用される、Ｚａｄｏｆｆ−Ｃｈｕシーケンスの従来のセットから分離されてもよい。（リンクバジェットが制限されていないＵＥデバイスは、従来のセットからの選択を実行することによって、従来の様式でＰＲＡＣＨプリアンブル送信を実行してもよい。）特殊なセット内のＺＣシーケンスの数は、セル内のリンクバジェットが制限されたＵＥデバイスの予想数（又は予想最大数若しくは指定最大数）の要件を満たすのに十分な大きさであってもよい。
【０２３７】
いくつかの実施形態では、リンクバジェットが制限されたデバイスのために予約されるシーケンスの数は、約１２であってもよい。ただし、様々な他の値又は値の範囲が想到される。
【０２３８】
いくつかの実施形態では、単一の論理ルートシーケンス番号のみが予約される。
【０２３９】
いくつかの実施形態では、ＮＣＳの値は小さくなるように選択される。この特徴は、ＵＥが、単一の物理ルートシーケンス番号のみを使用する循環シフトによってＺＣシーケンスの特殊なセットを生成することを可能にし得る。（シフトパラメータＣｖの値の数は、ＴＳ３６．２１１の第５．７．２項で指定されているように、ｆｌｏｏｒ（ＮＺＣ／ＮＣＳ）によって特定される。）
【０２４０】
リンクバジェットが制限されたデバイスをサポートするために、Ｎｃｓの小さい（又はより小さい）値が使用されてもよい。（値Ｎｃｓは、本明細書で「循環シフト値」とも呼ばれる。）小さい値は、所与の物理ルートシーケンス番号に対して適用され得る循環シフトの数を増加させる。
【０２４１】
特殊なセットのシーケンスのうちの１つの存在によって、リンクバジェットが制限されたデバイスをｅＮＢが認識するための特定の署名が構成される。
【０２４２】
実施形態の１セットでは、ユーザ機器（ＵＥ）デバイスを動作させるための方法２５００は、図２５に示す動作を含み得る。（方法２５００はまた、上述の特徴、要素、及び実施形態のうちの任意のサブセットも含み得る。）方法２５００は、ＵＥデバイスのリンクバジェットが制限されている場合（又は制限されているとき）に、ランダムアクセス手順の正常な完了を容易にするために利用されてもよい。動作は、ＵＥデバイスの処理エージェント、例えば、様々に上述されるような処理エージェントによって実行されてもよい。
【０２４３】
２５１０では、ＵＥデバイスは、物理ランダムアクセスチャネル（ＰＲＡＣＨ）のための構成インデックス、循環シフト値（Ｎｃｓ）、及び論理ルート番号を含むシステム情報を受信してもよい。
【０２４４】
２５２０では、第１のＵＥデバイスのリンクバジェットが制限されている場合、ＵＥデバイスは、以下で説明されるような、動作２５２５〜２５４０を含む動作のセットを実行してもよい。
【０２４５】
２５２５では、ＵＥデバイスは、論理ルート番号に基づき第１の物理ルート番号を計算してもよい。第１の物理ルート番号は、論理ルート番号に対応する従来の物理ルート番号と異なってもよい。
【０２４６】
２５３０では、ＵＥデバイスは、循環シフト値、及び第１の物理ルート番号を含む１つ以上の物理ルート番号に基づき、Ｚａｄｏｆｆ−Ｃｈｕシーケンスの第１のセットを生成してもよい。
【０２４７】
２５３５では、ＵＥデバイスは、第１のセットのＺａｄｏｆｆ−Ｃｈｕシーケンスのうちの１つをランダムに選択してもよい。オブジェクトのセットからのランダムな選択を実行する方法は、信号処理及び応用数学の技術分野において周知である。
【０２４８】
２５４０では、ＵＥデバイスは、選択されたＺａｄｏｆｆ−Ｃｈｕシーケンスの繰り返しを含む第１のＰＲＡＣＨサブフレームを送信してもよい。第１のＰＲＡＣＨサブフレームは、第１の無線フレーム中に送信される。
【０２４９】
いくつかの実施形態では、第１の物理ルート番号は、リンクバジェットが制限されたＵＥデバイスによってのみ使用されるために予約された、物理ルート番号の予約されたセットのメンバーである。
【０２５０】
いくつかの実施形態では、第１の物理ルート番号は、物理ルート番号への論理ルート番号の既定のマッピングに基づき特定される。ＵＥデバイス及び基地局によって、このマッピングについての合意がなされていてもよい。
【０２５１】
いくつかの実施形態では、第１の物理ルート番号は、ＵＥデバイスが加入している無線ネットワークの基地局によって認識されている固定された数式を使用して、論理ルート番号から計算される。
【０２５２】
いくつかの実施形態では、前述の第１のセット内のＺａｄｏｆｆ−Ｃｈｕシーケンスの数は、以下のとおりである。
３２以下、又は
２４以下、又は
１６以下、又は
範囲［９，１６］内又は
範囲［１０，１４］内。
【０２５３】
いくつかの実施形態では、上述の動作のセットはまた、第１の無線フレームを、その無線フレーム番号が１よりも大きい固定された整数の倍数となるように選択する動作を含んでもよく、第１の整数は、第１のＵＥデバイスが加入している無線ネットワークの基地局に認識されている。
【０２５４】
いくつかの実施形態では、上述の動作のセットはまた、１つ以上の追加のＰＲＡＣＨサブフレームを送信することを含んでもよく、１つ以上の追加のＰＲＡＣＨサブフレームのそれぞれは、選択されたＺａｄｏｆｆ−Ｃｈｕシーケンスの繰り返しを含み、１つ以上の追加のＰＲＡＣＨサブフレームのそれぞれは、第１の無線フレームの従来許可されるサブフレーム、又は第１の無線フレームの直後の第２の無線フレームの従来許可されるサブフレームを占有し、従来許可されるサブフレームは、ＴＳ３６．２１１で定義されているようなＰＲＡＣＨ構成インデックスに基づき従来許可されるサブフレームである。
【０２５５】
いくつかの実施形態では、Ｚａｄｏｆｆ−Ｃｈｕシーケンスの第１のセットは、論理シーケンス番号及び循環シフト値に基づき、ＴＳ３６．２１１によって定義されているような６４個のＺａｄｏｆｆ−Ｃｈｕシーケンスの従来のセットから分離される。
【０２５６】
実施形態の１セットでは、基地局を動作させる方法２６００は、図２６に示す動作を含み得る。（方法２６００はまた、上述の特徴、要素、及び実施形態のうちの任意のサブセットも含み得る。）方法２６００は、リンクバジェットが制限されているユーザ機器（ＵＥ）デバイスによって、ランダムアクセス手順を容易にするために実行されてもよい。動作は、基地局の処理エージェント、例えば、様々に上述されるような処理エージェントによって実行されてもよい。
【０２５７】
２６１０では、基地局は、物理ランダムアクセスチャネル（ＰＲＡＣＨ）のための構成インデックス、循環シフト値（Ｎｃｓ）、及び論理ルート番号を含むシステム情報を送信してもよい。
【０２５８】
２６１５では、基地局は、ＰＲＡＣＨ構成インデックスと合致する２つ以上のサブフレームにわたってシンボルデータを受信してもよい。
【０２５９】
２６２０では、基地局は、シンボルデータがＺａｄｏｆｆ−Ｃｈｕシーケンスの第１のセットからの任意のＺａｄｏｆｆ−Ｃｈｕシーケンスの繰り返しを含むかどうかを判定するために、相関検索処理を実行してもよい。Ｚａｄｏｆｆ−Ｃｈｕシーケンスの第１のセットは、循環シフト値、及び第１の物理ルート番号を含む１つ以上の物理ルート番号に基づき特定されてもよく、第１の物理ルート番号は、論理ルート番号に対応する従来の物理ルート番号と異なる。
【０２６０】
２６２５では、シンボルデータが第１のセットの特定のＺａｄｏｆｆ−Ｃｈｕシーケンスの繰り返しを含むことを相関検索処理が判定したことに応じて、基地局は、ＵＥデバイスのリンクバジェットが制限されていることの指示をメモリ内に記憶してもよい。
【０２６１】
いくつかの実施形態では、２つ以上のサブフレームは、１つ以上の連続する無線フレーム内で発生する。
【０２６２】
いくつかの実施形態では、第１の物理ルート番号は、リンクバジェットが制限されたＵＥデバイスによってのみ使用されるために予約された、物理ルート番号の予約されたセットのメンバーである。いくつかの実施形態では、上述の（動作２６２０の）１つ以上の物理ルート番号は、リンクバジェットが制限されたＵＥデバイスによってのみ使用されるために予約された、予約されたセットのメンバーである。
【０２６３】
いくつかの実施形態では、第１の物理ルート番号は、物理ルート番号への論理ルート番号の既定のマッピングに基づき特定され、ＵＥデバイスと基地局との間で、このマッピングについての合意がなされている。
【０２６４】
いくつかの実施形態では、前述の第１のセット内のＺａｄｏｆｆ−Ｃｈｕシーケンスの数は、以下のとおりである。
３２以下、又は
２４以下、又は
１６以下、又は
範囲［９，１６］内又は
範囲［１０，１４］内。
【０２６５】
いくつかの実施形態では、シンボルデータを受信する上述の動作は、フレーム番号が１よりも大きい固定された整数の倍数である第１の無線フレーム内で開始され、リンクバジェットが制限されたＵＥデバイスは、フレーム番号が固定された整数の倍数である無線フレーム内でのみＰＲＡＣＨ情報を送信することを開始するように構成される。
【０２６６】
いくつかの実施形態では、Ｚａｄｏｆｆ−Ｃｈｕシーケンスの第１のセットは、論理シーケンス番号及び循環シフト値に基づき、ＴＳ３６．２１１によって定義されているような６４個のＺａｄｏｆｆ−Ｃｈｕシーケンスの従来のセットから分離される。
【０２６７】
いくつかの実施形態では、方法２６００はまた、ＵＥデバイスのリンクバジェットが制限されていることの指示に応じて、リンクバジェットが制限されていないＵＥデバイスに対して使用されるものよりも低い符号化レート（又は増加された冗長性）を使用して、ランダムアクセス手順の１つ以上のメッセージをＵＥデバイスへと送信することを含んでもよい。
【０２６８】
いくつかの実施形態では、方法２６００はまた、ＵＥデバイスのリンクバジェットが制限されていることの指示に応じて、リンクバジェットが制限されていないＵＥデバイスに対して使用されるものよりも低い符号化レート（又は増加された冗長性）を使用して、ダウンリンクペイロードデータをＵＥデバイスへと送信することを含んでもよい。
【０２６９】
いくつかの実施形態では、ランダムアクセス（ＲＡＣＨ）を開始するために、リンクバジェットが制限されたＵＥはＺＣシーケンスの予約されたセットを使用し、リンクバジェットが制限されていないＵＥデバイスはＺＣシーケンスの従来のセットを使用し、予約されたセット及び従来のセットは分離される。このため、基地局は、ＲＡＣＨを開始している所与のＵＥのリンクバジェットが制限されているかどうかを、所与のＵＥによって送信されたＰＲＡＣＨプリアンブル内に含まれる特定のＺＣシーケンスのセットメンバーシップを特定することによって特定してもよい。一実施形態では、基地局は、ＨｉｇｈＳｐｅｅｄフラグがＦＡＬＳＥに設定されたＰＲＡＣＨ構成を送信するように設計（又は指示）されてもよい。（基地局は、ＰＲＡＣＨ構成をセル内のＵＥデバイスへと送信する。）このため、旧式のＵＥデバイス及びリンクバジェットが制限されていないＵＥデバイスは、ＨｉｇｈＳｐｅｅｄフラグ＝ＦＡＬＳＥに関連付けられた、シーケンスの従来のセットを使用して、ランダムアクセス（ＲＡＣＨ）を開始してもよい。（３ＧＰＰ仕様によれば、ＨｉｇｈＳｐｅｅｄフラグ＝ＦＡＬＳＥに関連付けられたシーケンスの従来のセットは、いわゆる「非制限セット」に対応する循環シフトＣｖ、及び非制限セットの事例に対して指定された１つ以上の物理ルートシーケンス番号を使用して生成される）。ただし、リンクバジェットが制限されたＵＥデバイスは、ＨｉｇｈＳｐｅｅｄフラグのＦａｌｓｅ状態を無視し、高速シーケンス、すなわち、従来のようにＨｉｇｈＳｐｅｅｄフラグ＝ＴＲＵＥに関連付けられたシーケンスを使用してランダムアクセスを開始するように構成されてもよい。（３ＧＰＰ仕様によれば、高速シーケンスは、いわゆる「制限付きセット」に対応する循環シフトＣｖ、及び制限付きセットの事例に対して指定された１つ以上の物理ルートシーケンス番号を使用して生成される。）具体的には、所与のリンクバジェットが制限されたＵＥは、そのリンクバジェットが制限された状態を、高速シーケンスのうちの１つを選択すること、及び選択されたシーケンスを使用するランダムアクセス手順を開始することによって、基地局へとシグナリングしてもよい。（選択されたシーケンスの１つ以上のコピーが、リンクバジェットが制限されたＵＥによって送信されるＰＲＡＣＨプリアンブル内に埋め込まれてもよい。）このリンクバジェットが制限された状態をシグナリングするためのメカニズムとしての、予約されたセットの使用については、ネットワーク（ＮＷ）との間で合意がなされている。
【０２７０】
以下は、ＮＷによって使用され得るＰＲＡＣＨ構成の例である。
ｐｒａｃｈ−ＣｏｎｆｉｇＩｎｆｏ
｛
ｐｒａｃｈ−ＣｏｎｆｉｇＩｎｄｅｘ  ５，
ｈｉｇｈＳｐｅｅｄＦｌａｇ  ＦＡＬＳＥ，
ｚｅｒｏＣｏｒｒｅｌａｔｉｏｎＺｏｎｅＣｏｎｆｉｇ  １２，
ｐｒａｃｈ−ＦｒｅｑＯｆｆｓｅｔ  ４
｝
【０２７１】
（ｈｉｇｈＳｐｅｅｄＦｌａｇがオフになっていることに留意されたい。）様々な他の構成も使用されてもよい。
【０２７２】
範囲を改善するための提案
いくつかの実施形態では、ＵＥは、同じ選択されたＺＣシーケンスを、１つ以上の連続する無線フレーム内で、かつ、それらの無線フレームのそれぞれにおける、ＰＲＡＣＨ構成に基づき許可された全てのサブフレームにわたって繰り返してもよい。
【０２７３】
例えば、ｅＮＢがＰＲＡＣＨ構成７をシグナリングすると仮定する。これは、（図２４に示すように）ネットワーク内の任意のデバイスが、任意の無線フレームのサブフレーム２又はサブフレーム７でＰＲＡＣＨプリアンブルを送信し得ることを含意する。
【０２７４】
リンクバジェットが制限されたデバイスが、ｅＮＢによる十分な検出可能性のために、４つのＰＲＡＣＨサブフレームを送信する必要があるものと仮定する。ＰＲＡＣＨ構成７では、これは、リンクバジェットが制限されたデバイスがそのＰＲＡＣＨプリアンブルを送信するために、２つの無線フレームが必要とされることを意味し、すなわち、先頭の２つのＰＲＡＣＨサブフレームが第１の無線フレームのサブフレーム２及び７でそれぞれ送信され、最後の２つのＰＲＡＣＨサブフレームが第１の無線フレームの直後の第２の無線フレームのサブフレーム２及び７でそれぞれ送信される。
【０２７５】
ＰＲＡＣＨを復号及び累算するために、ｅＮＢは、ＰＲＡＣＨの繰り返しがどこで開始されたかを認識する必要がある。
【０２７６】
いくつかの実施形態では、スキームを単純化し、ＳＩＢ２に如何なる変更も加えないようにするために、リンクバジェットが制限されたデバイスは、例えば、偶数（又は奇数）無線フレームのサブフレーム２のみで、又はより一般的には、シグナリングされたＰＲＡＣＨ構成と合致する第１の許可されたサブフレームのみで開始されることを強制される。
【０２７７】
いくつかの実施形態では、リンクバジェットが制限されたデバイスは、偶数無線フレーム（例えば、無線フレーム１２）内で開始され、その後次の無線フレーム（無線フレーム１３）内で終了してもよい。この場合、リンクバジェットが制限されたデバイスによって送信されたＰＲＡＣＨをｅＮＢが復号する上での不明確さは存在しない。
【０２７８】
ｅＮＢ受信機への処理負荷も低減する場合、１つの提案は、リンクバジェットが制限されたデバイスに、その第１のＰＲＡＣＨサブフレームを、無線フレーム番号ｍｏｄ  ４が０である場合にのみ送信（及び開始）させることである。
【０２７９】
これによってシステム容量への影響及びｅＮＢへの負荷は制限されるが、ＵＥの待ち時間が犠牲となる。
【０２８０】
単一無線フレーム内の繰り返し
いくつかの実施形態では、リンクバジェットが制限されたＵＥデバイスは、ＰＲＡＣＨプリアンブル、及びＰＲＡＣＨプリアンブルの１つ以上の時間的繰り返しを、単一の無線フレーム内で送信してもよい。ＰＲＡＣＨプリアンブルの初期送信及び１つ以上の時間的繰り返しは、単一の無線フレームの、連続する使用可能なサブフレーム内で発生してもよい。例えば、ＰＲＡＣＨ構成７では、使用可能なサブフレームは２及び７であった。このため、単一の無線フレーム内での繰り返しの余地を与えるために、ＰＲＡＣＨプリアンブルの初期送信は、第１の使用可能なサブフレーム内、すなわち、無線フレームのサブフレーム２で発生してもよく、ＰＲＡＣＨプリアンブルの単一の再送信は、無線フレームのサブフレーム７で発生してもよい。したがって、基地局は、単一のサブフレームを使用してＰＲＡＣＨ送信の累算を実行してもよい。
【０２８１】
Ｉ．リンクバジェットが制限されたＵＥデバイスのためのロバストＰＲＡＣＨメッセージング形式
実施形態の１セットでは、ランダムアクセス手順を容易にするようにユーザ機器（ＵＥ）デバイスを動作させる方法は、Ｚａｄｏｆｆ−Ｃｈｕシーケンスの少なくとも３つのインスタンスを含む第１のメッセージを送信することを含んでもよく、第１のメッセージは時間−周波数リソース空間内の物理ランダムアクセスチャネル（ＰＲＡＣＨ）上で送信される。
【０２８２】
いくつかの実施形態では、方法はまた、第１のメッセージの１つ以上の再送信を実行することを含んでもよく、前述の送信及び前述の１つ以上の再送信は、第１の基地局によって送信された構成情報によって特定される時間のパターンに従って発生する。
【０２８３】
いくつかの実施形態では、構成情報は、前述の送信及び前述の１つ以上の再送信を実行するためにＵＥデバイスによって使用可能な時間−周波数リソースの第１のセットが、従来のランダムアクセスプリアンブルを送信するために１つ以上の他のＵＥデバイスによって使用可能な時間−周波数リソースの第２のセットと異なるように、時間のパターンを特定し、従来のランダムアクセスプリアンブルのそれぞれは、Ｚａｄｏｆｆ−Ｃｈｕシーケンスの最大２つのインスタンスを含む。
【０２８４】
いくつかの実施形態では、方法はまた、第１の基地局から第２の基地局へのＵＥのハンドオーバーが実行されているときに、第１のメッセージを前述の送信することの前に第２の基地局からマスタ情報ブロック（ＭＩＢ）を受信することを含んでもよく、ＭＩＢは第２の基地局に関連付けられたシステムフレーム番号を含み、システムフレーム番号は、いつ前述の第１のメッセージを送信することを実行する時間になったかを判定するために使用される。
【０２８５】
いくつかの実施形態では、方法はまた、第１の基地局から第２の基地局へのＵＥのハンドオーバーが実行されているときに、第１の基地局から受信された、第１の基地局と第２の基地局との間で同期されるシステムフレーム番号に基づき、いつ第１のメッセージの前述の送信を実行する時間になったかを判定することを含んでもよい。
【０２８６】
いくつかの実施形態では、方法はまた、第１の基地局から第２の基地局へのＵＥのハンドオーバーが実行されているときに、第１の基地局によって送信された無線リソース制御（ＲＲＣ）情報要素を受信することを含んでもよく、ＲＲＣ情報要素は第２の基地局に関連付けられたシステムフレーム番号を含み、システムフレーム番号は、いつ第１のメッセージを前述の送信することを実行する時間になったかを判定するために使用される。
【０２８７】
いくつかの実施形態では、第１のメッセージを送信する上述の動作及び前述の１つ以上の再送信は、記憶された情報が、ＵＥのリンクバジェットが制限されていることを示したことに応じて実行される。
【０２８８】
いくつかの実施形態では、第１のメッセージを送信する動作及び前述の１つ以上の再送信は、リンクバジェットが制限された状態でＵＥが動作していることを、そのＵＥが判定したことに応じて実行される。
【０２８９】
いくつかの実施形態では、方法はまた、第１のメッセージを前述の送信することの前に、基地局によって送信された構成情報を受信することを含んでもよい。
【０２９０】
いくつかの実施形態では、構成情報は、タイミングパターンの既定のセットから時間のパターンを特定し、これらのタイミングパターンのそれぞれは。
【０２９１】
いくつかの実施形態では、第１のメッセージは、Ｚａｄｏｆｆ−Ｃｈｕシーケンスの前述の少なくとも３つのインスタンスを伝達するための複数のサブキャリアを含み、これらのサブキャリアの間隔は１．２５ｋＨｚよりも大きい。
【０２９２】
いくつかの実施形態では、第１のメッセージは２つ以上のサブフレームにわたる。
【０２９３】
いくつかの実施形態では、方法はまた、基地局によって送信された第２のメッセージを受信することを含んでもよく、第２のメッセージは、基地局が第１のメッセージを正常に復号したことに応じて、基地局によって送信される。
【０２９４】
いくつかの実施形態では、第２のメッセージは、基地局によって２回以上及び／又はより低い符号化レートで送信される。
【０２９５】
いくつかの実施形態では、第２のメッセージは基地局によって、従来のランダムアクセス応答メッセージよりも低い符号化レートで送信される。
【０２９６】
いくつかの実施形態では、方法はまた、基地局からの第２のメッセージを正常に復号したことに応じて、第３のメッセージを基地局へと送信することを含んでもよく、第３のメッセージは、（ａ）従来のＰＵＳＣＨメッセージよりも低い符号化データレートで、かつ／又は（ｂ）時間的に繰り返し送信される。
【０２９７】
実施形態の１セットでは、ユーザ機器（ＵＥ）デバイスを動作させる方法は、本明細書で説明される拡張された形式のうちの任意の１つに従って物理ランダムアクセスチャネル（ＰＲＡＣＨ）を送信することを含んでもよく、前述の拡張された形式のうちの１つに従ったＰＲＡＣＨの前述の送信は、ＵＥデバイスのリンクバジェットが制限されていることを基地局へと（かつ／又はネットワークへと）示す。
【０２９８】
いくつかの実施形態では、ＵＬ及びＤＬメッセージの復号が成功するように、基地局は、そのＤＬ内のリソース割り当て及びＵＬ内のグラントを修正する。
【０２９９】
いくつかの実施形態では、ＰＲＡＣＨは、時間的には同じ間隔にわたるが周波数的には異なる間隔を占有する、２つ以上のセグメントを含む。
【０３００】
実施形態の１セットでは、基地局を動作させる方法は、以下の動作を含んでもよい。
【０３０１】
方法は、リンクバジェットが制限された１つ以上のユーザ機器（ＵＥ）デバイスに対する第１の構成情報を送信することを含んでもよく、リンクバジェットが制限されたＵＥデバイスのそれぞれは、ランダムアクセスプリアンブルを送信し、かつランダムアクセスプリアンブルの１つ以上の再送信を実行するように構成され、ランダムアクセスプリアンブルはＺａｄｏｆｆ−Ｃｈｕシーケンスの１つ以上のインスタンスを含み、第１の構成情報は、ランダムアクセスプリアンブルの前述の送信及び前述の１つ以上の再送信に対する時間のパターンを示す。
【０３０２】
方法はまた、第１のデータレコードを取得するために、１つ以上のＵＥデバイスのうちの第１のＵＥデバイスからのランダムアクセスプリアンブルの前述の送信を受信することを含んでもよい。
【０３０３】
方法はまた、１つ以上の追加のデータレコードを取得するために、第１のＵＥデバイスからのランダムアクセスプリアンブルの前述の１つ以上の再送信を受信することを含んでもよい。
【０３０４】
方法はまた、第１のデータレコード及び１つ以上の追加のデータレコードに基づきランダムアクセスプリアンブルを復号することを含んでもよい。
【０３０５】
いくつかの実施形態では、方法はまた、リンクバジェットが制限されていない１つ以上のＵＥデバイスに対する第２の構成情報を送信することを含んでもよく、リンクバジェットが制限されていないＵＥデバイスのそれぞれは、第２の構成情報によって特定されるタイミングに基づき第２のランダムアクセスプリアンブルを送信するように構成され、第２のランダムアクセスプリアンブルは、Ｚａｄｏｆｆ−Ｃｈｕシーケンスの最大２つのインスタンスを含む。
【０３０６】
いくつかの実施形態では、第１の構成情報及び第２の構成情報は、ランダムアクセスプリアンブルの前述の送信及び前述の１つ以上の再送信を実行するために第１のＵＥデバイスによって使用可能な時間−周波数リソースの第１のセットが、第２のランダムアクセスプリアンブルを送信するためにリンクバジェットが制限されていない１つ以上のＵＥデバイスによって使用可能な時間−周波数リソースの第２のセットと異なるように、基地局によって特定される。
【０３０７】
いくつかの実施形態では、方法はまた、ランダムアクセスプリアンブルを復号したことに応じて、ランダムアクセス応答を第１のＵＥデバイスへと送信することを含んでもよく、ランダムアクセス応答は、（ａ）従来のランダムアクセス応答よりも低い符号化レートで、かつ／又は（ｂ）複数の時間的な繰り返しを使用して送信される。
【０３０８】
いくつかの実施形態では、方法はまた、第１のＵＥデバイスからメッセージを受信することを含んでもよく、第１のＵＥデバイスはランダムアクセス応答を受信した後にメッセージを送信し、メッセージは通常のＰＵＳＣＨメッセージよりも低い符号化レートで、かつ／又は複数の時間的な繰り返しを使用して送信される。
【０３０９】
いくつかの実施形態では、第１の構成情報は、時間パターンの所定のセットから時間のパターンを特定する。
【０３１０】
いくつかの実施形態では、ランダムアクセスプリアンブルはＺａｄｏｆｆ−Ｃｈｕシーケンスの少なくとも３つのインスタンスを含む。
【０３１１】
いくつかの実施形態では、ランダムアクセスプリアンブルは、Ｚａｄｏｆｆ−Ｃｈｕシーケンスの前述の少なくとも３つのインスタンスを伝達するための複数のサブキャリアを含み、これらのサブキャリアの間隔は１．２５ｋＨｚよりも大きい。
【０３１２】
いくつかの実施形態では、ランダムアクセスプリアンブルは２つ以上のサブフレームにわたる。
【０３１３】
実施形態の１セットでは、基地局を動作させる方法は、以下の動作を含んでもよい。これらの動作は、リンクバジェットが制限された１つ以上のユーザ機器（ＵＥ）デバイスによるランダムアクセスを容易にするために実行されてもよい。リンクバジェットが制限されたＵＥデバイスのそれぞれは、ランダムアクセスプリアンブルを送信し、かつランダムアクセスプリアンブルの１つ以上の再送信を実行するように構成され、ランダムアクセスプリアンブルはＺａｄｏｆｆ−Ｃｈｕシーケンス（例えば、リンクバジェットが制限されたＵＥデバイスによってランダムに選択されたＺａｄｏｆｆ−Ｃｈｕシーケンス）の１つ以上のインスタンスを含む。基地局及びリンクバジェットが制限された１つ以上のＵＥデバイスは、ランダムアクセスプリアンブルの前述の送信及び前述の１つ以上の再送信に対する時間のパターン（及び／又は周波数ホッピングパターンなどの他の構成特徴）について予め合意していてもよい。このため、時間のパターン（及び／又は他の構成特徴）が、リンクバジェットが制限された１つ以上のＵＥデバイスへとシグナリングされる必要はない。
【０３１４】
動作は、第１のデータレコードを取得するために、１つ以上のＵＥデバイスのうちの第１のＵＥデバイスからのランダムアクセスプリアンブルの前述の送信を受信することを含んでもよい。
【０３１５】
動作はまた、１つ以上の追加のデータレコードを取得するために、第１のＵＥデバイスからのランダムアクセスプリアンブルの前述の１つ以上の再送信を受信することを含んでもよい。
【０３１６】
動作はまた、第１のデータレコード及び１つ以上の追加のデータレコードに基づきランダムアクセスプリアンブルを復号することを含んでもよい。
【０３１７】
ＩＩ．リンクバジェットが制限されたＵＥデバイスに対する、シーケンスセットの選択によるシグナリング
実施形態の１セットでは、ランダムアクセス手順を容易にするようにユーザ機器（ＵＥ）デバイスを動作させる方法は、基地局に対するＵＥデバイスのドップラーシフトの大きさの測定値に基づき、Ｚａｄｏｆｆ−Ｃｈｕシーケンスの複数のセットからセットを選択することであって、複数のセットの中から選択されたセットのアイデンティティは、相関累算方法を特定するために基地局によって使用可能である、ことと、第１のメッセージの２つ以上の送信を実行することであって、第１のメッセージは、選択されたセットから選択された特定のＺａｄｏｆｆ−Ｃｈｕシーケンスの１つ以上のインスタンスを含む、ことと、を含んでもよい。
【０３１８】
いくつかの実施形態では、２つ以上の送信は複数の時間間隔にわたる周波数ホッピングを使用して実行され、セットのうちの異なる１つは、周波数ホッピングの異なるパターンに関連付けられる。
【０３１９】
いくつかの実施形態では、２つ以上の送信は複数のあり得る時間的な繰り返しパターンに従って実行され、セットのうちの異なる１つは、時間的な繰り返しパターンのうちの異なる１つに関連付けられる。
【０３２０】
いくつかの実施形態では、相関累算方法は、複素数値累算方法及びエネルギー累算方法から選択される。
【０３２１】
実施形態の１セットでは、ランダムアクセス手順を容易にするようにユーザ機器（ＵＥ）デバイスを動作させる方法は、基地局に対するＵＥデバイスのドップラーシフトの大きさの測定値に基づき、複数のセットからセットを選択することであって、セットのそれぞれは複数のＺａｄｏｆｆ−Ｃｈｕシーケンスを含み、セットのうちの異なる１つは、ドップラーシフトの大きさの異なる範囲へと割り当てられている、ことと、第１のメッセージの２つ以上の送信を実行することであって、第１のメッセージは、選択されたセットから選択された特定のＺａｄｏｆｆ−Ｃｈｕシーケンスの１つ以上のインスタンスを含む、ことと、を含んでもよい。
【０３２２】
いくつかの実施形態では、基地局は、（ａ）第１のメッセージの２つ以上の送信に応じてシンボルデータを受信し、（ｂ）特定のＺａｄｏｆｆ−Ｃｈｕシーケンスを特定する情報、及び複数のセットの中から選択されたセットを特定する情報を取得するために、シンボルデータに対して相関処理を実行し、（ｃ）選択されたセットを特定する情報に基づき、複素数値累算方法及びエネルギー累算方法から相関累算方法を選択し、（ｄ）選択された相関累算方法に従って２つ以上の相関シーケンスを累算する、ように構成されてもよく、２つ以上の相関シーケンスのそれぞれは、特定のＺａｄｏｆｆ−Ｃｈｕシーケンスとのシンボルデータのそれぞれの部分の相関によって生成され、シンボルデータの部分のそれぞれは、２つ以上の送信のうちの１つで、特定のＺａｄｏｆｆ−Ｃｈｕシーケンスのそれぞれのインスタンスに対応する。
【０３２３】
いくつかの実施形態では、２つ以上の送信のそれぞれは異なる時間間隔で発生し、第１の時間間隔での、送信のうちの１つ目は周波数リソースの第１のセットを占有し、第２の時間間隔での、送信のうちの２つ目は周波数リソースの第１のセットと異なる周波数リソースの第２のセットを占有する。
【０３２４】
いくつかの実施形態では、２つ以上の送信はそれぞれ、２つ以上の異なる時間間隔を占有し、２つ以上の送信を実行するために使用される周波数リソースは、複数の周波数ホッピングパターンのうちの特定の１つに従って１つの時間間隔から次の時間間隔へと変化し、複数の周波数ホッピングパターンのそれぞれは、複数のセットのうちのそれぞれの１つに関連付けられる。
【０３２５】
いくつかの実施形態では、基地局は、（ａ）第１のメッセージの２つ以上の送信に応じてシンボルデータを受信し、（ｂ）シンボルデータのサブセットであって、シンボルデータのサブセットのそれぞれは周波数ホッピングパターンのうちのそれぞれの１つに対応し、相関処理は、特定のＺａｄｏｆｆ−Ｃｈｕシーケンスを特定する情報、及びＺａｄｏｆｆ−Ｃｈｕシーケンスの複数のセットの中から選択されたセットを特定する情報を特定する、シンボルデータのサブセットに対して相関処理を実行し、（ｃ）シンボルデータの特定のサブセットの２つ以上のそれぞれの部分を特定のＺａｄｏｆｆ−Ｃｈｕシーケンスと相関付けることによって生成された２つ以上の相関シーケンスを累算する、ように構成され、シンボルデータの特定のサブセットは、Ｚａｄｏｆｆ−Ｃｈｕシーケンスの選択されたセットを特定する情報に基づき選択され、特定のサブセットの２つ以上の部分のそれぞれは、第１のメッセージの２つ以上の送信のうちの１つで、特定のＺａｄｏｆｆ−Ｃｈｕシーケンスのそれぞれのインスタンスに対応する。
【０３２６】
いくつかの実施形態では、２つ以上の送信は複数の時間的な繰り返しパターンのうちの１つに従って実行され、時間的な繰り返しパターンのそれぞれは、Ｚａｄｏｆｆ−Ｃｈｕシーケンスのセットのうちのそれぞれの１つに関連付けられる。
【０３２７】
いくつかの実施形態では、基地局は、（ａ）第１のメッセージの２つ以上の送信に応じてシンボルデータを受信し、（ｂ）シンボルデータのサブセットであって、サブセットのそれぞれは時間的な繰り返しパターンのうちのそれぞれの１つに対応し、相関処理は、特定のＺａｄｏｆｆ−Ｃｈｕシーケンスを特定する情報、及びＺａｄｏｆｆ−Ｃｈｕシーケンスの複数のセットの中から選択されたセットを特定する情報を特定する、シンボルデータのサブセットに対して相関処理を実行し、（ｃ）累算された相関シーケンスを取得するために２つ以上の相関シーケンスを累算する、ように構成され、２つ以上の相関シーケンスはシンボルデータの特定のサブセットの２つ以上のそれぞれの部分を特定のＺａｄｏｆｆ−Ｃｈｕシーケンスと相関付けることによって生成され、シンボルデータの特定のサブセットは、Ｚａｄｏｆｆ−Ｃｈｕシーケンスの選択されたセットを特定する情報に基づき選択され、２つ以上のそれぞれの部分のそれぞれは、第１のメッセージの２つ以上の送信のうちの１つで、特定のＺａｄｏｆｆ−Ｃｈｕシーケンスのそれぞれのインスタンスに対応する。
【０３２８】
実施形態の１セットでは、（ユーザ機器デバイスによるランダムアクセス手順を容易にするように）基地局を動作させる方法は、以下の動作を含んでもよい。
【０３２９】
方法は、ＵＥデバイスからの第１のメッセージの２つ以上の送信に応じてシンボルデータを受信することを含んでもよく、ＵＥデバイスは、Ｚａｄｏｆｆ−Ｃｈｕシーケンスの複数のセットのうちの１つから選択された特定のＺａｄｏｆｆ−Ｃｈｕシーケンスを使用して２つ以上の送信を実行する。
【０３３０】
方法は、特定のＺａｄｏｆｆ−Ｃｈｕシーケンスが属する前述の１つのセットを特定するために、シンボルデータに対して相関処理を実行することを含んでもよい。
【０３３１】
方法はまた、累算方法を使用して相関データレコードを累算することを含んでもよく、累算方法は、前述のセットのアイデンティティに基づき複素数値累算方法又はエネルギー累算方法から選択される。
【０３３２】
いくつかの実施形態では、ＵＥデバイスは、複数の時間間隔にわたる周波数ホッピングを使用して２つ以上の送信を実行し、セットのうちの異なる１つは、周波数ホッピングの異なるパターンに関連付けられる。これらの実施形態では、基地局を動作させる方法はまた、前述のセットのアイデンティティに基づき周波数ホッピングパターンを特定することを含んでもよい。
【０３３３】
いくつかの実施形態では、ＵＥデバイスは、１つ又は複数のあり得る時間的な繰り返しパターンに従って２つ以上の送信を実行し、セットのうちの異なる１つは、異なる時間的な繰り返しパターンに関連付けられる。これらの実施形態では、基地局を動作させる方法はまた、前述のセットのアイデンティティに基づき繰り返しパターンを特定することを含んでもよい。
【０３３４】
いくつかの実施形態では、相関累算方法は、複素数値累算方法及びエネルギー累算方法から選択される。
【０３３５】
実施形態の１セットでは、（ユーザ機器デバイスによるランダムアクセス手順を容易にするように）基地局を動作させる方法は、以下の動作を含んでもよい。
【０３３６】
方法は、ＵＥデバイスからの第１のメッセージの２つ以上の送信に応じてシンボルデータを受信することを含んでもよく、第１のメッセージは特定のＺａｄｏｆｆ−Ｃｈｕシーケンスの１つ以上のインスタンスを含み、特定のＺａｄｏｆｆ−Ｃｈｕシーケンスは、Ｚａｄｏｆｆ−Ｃｈｕシーケンスの複数のセットのうちの選択された１つからＵＥデバイスによって選択されており、セットのそれぞれは、基地局に対するＵＥデバイスのドップラーシフトの大きさの異なる範囲に対応する。
【０３３７】
方法はまた、特定のＺａｄｏｆｆ−Ｃｈｕシーケンスを特定する情報、及び複数のセットの中から選択されたセットを特定する情報を特定するために、シンボルデータに対して相関処理を実行することを含んでもよい。
【０３３８】
方法はまた、選択されたセットを特定する情報に基づき、複素数値累算方法及びエネルギー累算方法から相関累算方法を選択することを含んでもよい。
【０３３９】
方法はまた、選択された相関累算方法に従って２つ以上の相関シーケンスを累算することを含んでもよく、２つ以上の相関シーケンスのそれぞれは、特定のＺａｄｏｆｆ−Ｃｈｕシーケンスとのシンボルデータのそれぞれの部分の相関によって生成され、シンボルデータの部分のそれぞれは、２つ以上の送信のうちの１つで、特定のＺａｄｏｆｆ−Ｃｈｕシーケンスのそれぞれのインスタンスに対応する。
【０３４０】
いくつかの実施形態では、２つ以上の送信のそれぞれは異なる時間間隔で発生し、第１の時間間隔での、送信のうちの１つ目は周波数リソースの第１のセットを占有し、第２の時間間隔での、送信のうちの２つ目は周波数リソースの第１のセットと異なる周波数リソースの第２のセットを占有する。
【０３４１】
いくつかの実施形態では、２つ以上の送信はそれぞれ、２つ以上の異なる時間間隔を占有し、２つ以上の送信を実行するために使用される周波数リソースは、複数の周波数ホッピングパターンのうちの特定の１つに従って１つの時間間隔から次の時間間隔へと変化し、複数の周波数ホッピングパターンのそれぞれは、複数のセットのうちのそれぞれの１つに関連付けられる。
【０３４２】
いくつかの実施形態では、基地局を動作させる方法はまた、（ａ）第１のメッセージの２つ以上の送信に応じてシンボルデータを受信することと、（ｂ）シンボルデータのサブセットに対して相関処理を実行することであって、シンボルデータのサブセットのそれぞれは周波数ホッピングパターンのうちのそれぞれの１つに対応し、相関処理は、特定のＺａｄｏｆｆ−Ｃｈｕシーケンスを特定する情報、及びＺａｄｏｆｆ−Ｃｈｕシーケンスの複数のセットの中から選択されたセットを特定する情報を特定する、ことと、（ｃ）シンボルデータの特定のサブセットの２つ以上のそれぞれの部分を特定のＺａｄｏｆｆ−Ｃｈｕシーケンスと相関付けることによって生成された２つ以上の相関シーケンスを累算することであって、シンボルデータの特定のサブセットは、Ｚａｄｏｆｆ−Ｃｈｕシーケンスの選択されたセットを特定する情報に基づき選択され、特定のサブセットの２つ以上の部分のそれぞれは、第１のメッセージの２つ以上の送信のうちの１つで、特定のＺａｄｏｆｆ−Ｃｈｕシーケンスのそれぞれのインスタンスに対応する、ことと、を含んでもよい。
【０３４３】
いくつかの実施形態では、２つ以上の送信は複数の時間的な繰り返しパターンのうちの１つに従って実行され、時間的な繰り返しパターンのそれぞれは、Ｚａｄｏｆｆ−Ｃｈｕシーケンスのセットのうちのそれぞれの１つに関連付けられる。
【０３４４】
いくつかの実施形態では、基地局を動作させる方法はまた、（ａ）第１のメッセージの２つ以上の送信に応じてシンボルデータを受信することと、（ｂ）シンボルデータのサブセットに対して相関処理を実行することであって、サブセットのそれぞれは時間的な繰り返しパターンのうちのそれぞれの１つに対応し、相関処理は、特定のＺａｄｏｆｆ−Ｃｈｕシーケンスを特定する情報、及びＺａｄｏｆｆ−Ｃｈｕシーケンスの複数のセットの中から選択されたセットを特定する情報を特定する、ことと、（ｃ）累算された相関シーケンスを取得するために２つ以上の相関シーケンスを累算することであって、２つ以上の相関シーケンスはシンボルデータの特定のサブセットの２つ以上のそれぞれの部分を特定のＺａｄｏｆｆ−Ｃｈｕシーケンスと相関付けることによって生成され、シンボルデータの特定のサブセットは、Ｚａｄｏｆｆ−Ｃｈｕシーケンスの選択されたセットを特定する情報に基づき選択され、２つ以上のそれぞれの部分のそれぞれは、第１のメッセージの２つ以上の送信のうちの１つで、特定のＺａｄｏｆｆ−Ｃｈｕシーケンスのそれぞれのインスタンスに対応する、ことと、を含んでもよい。
【０３４５】
いくつかの実施形態では、第１のメッセージは特定のＺａｄｏｆｆ−Ｃｈｕシーケンスの２つのインスタンスを含む。
【０３４６】
ＩＩＩ．連続するサブフレームにわたって送信される繰り返しＰＲＡＣＨインスタンス
実施形態の１セットでは、（第１のＵＥデバイスのリンクバジェットが制限されているときにランダムアクセス手順を容易にするように）第１のユーザ機器デバイスを動作させる方法は、複数の連続するサブフレームにわたって基地局へと物理ランダムアクセスチャネル（ＰＲＡＣＨ）の複数のインスタンスを送信することを含んでもよく、連続するサブフレームのそれぞれはＰＲＡＣＨインスタンスのうちの対応する１つを含む。
【０３４７】
いくつかの実施形態では、連続するサブフレームのうちの１つ目で、ＰＲＡＣＨインスタンスのうちの１つ目を送信するために第１のＵＥデバイスによって使用されるリソースブロックは、従来のＰＲＡＣＨサブフレームを送信するために、リンクバジェットが制限されていない第２のＵＥデバイスによって使用されるリソースブロックから分離される。
【０３４８】
いくつかの実施形態では、連続するサブフレームのうちの１つ目で、ＰＲＡＣＨインスタンスのうちの１つ目を送信するために第１のＵＥデバイスによって使用されるリソースブロックは、従来のＰＲＡＣＨサブフレームを送信するために、リンクバジェットが制限されていない第２のＵＥデバイスによって使用されるリソースブロックと少なくとも部分的に重複し、第１のＵＥデバイス及び第２のＵＥデバイスは、ＰＲＡＣＨ送信のための対応するＺＣルートをランダムに選択するようにそれぞれ構成される。（このため、独立して選択されたＺＣルートは、基地局で一意に特定するのに十分に直交し得る。）
【０３４９】
いくつかの実施形態では、方法はまた、前述の連続するサブフレームの数を示すシステム情報を（例えば、ＳＩＢ２の一部として）受信することを含んでもよい。
【０３５０】
いくつかの実施形態では、前述の連続するサブフレームの数は固定され、第１のＵＥデバイス及び基地局によって認識されている。
【０３５１】
いくつかの実施形態では、ＰＲＡＣＨインスタンスを送信するために第１のＵＥデバイスによって使用されるリソースブロックは、周波数領域内で、連続するサブフレームのうちの１つから次へとホップする。
【０３５２】
いくつかの実施形態では、周波数領域内でリソースブロックがホップするときに従うホッピングパターンは固定され、第１のＵＥデバイス及び基地局によって認識されている。
【０３５３】
いくつかの実施形態では、方法はまた、周波数領域内で前述のホッピングを実行するために使用されるホッピングパターンを特定するシステム情報を（例えば、ＳＩＢ２の一部として）受信することを含んでもよい。
【０３５４】
実施形態の１セットでは、（ユーザ機器デバイスによるランダムアクセス手順を容易にするように）基地局を動作させる方法は、ＵＥデバイスによるＰＲＡＣＨの複数のインスタンスの送信に応じてシンボルデータを受信することであって、複数のＰＲＡＣＨインスタンスは複数の連続するサブフレームにわたって送信され、複数の連続するサブフレームのそれぞれはＰＲＡＣＨインスタンスのうちの対応する１つを含む、ことと、使用可能なＺａｄｏｆｆ−Ｃｈｕ（ＺＣ）シーケンスのセットからの、どのＺＣシーケンスが複数のＰＲＡＣＨインスタンス内に含まれるかを判定するために、シンボルデータに対して相関処理を実行することであって、前述の相関処理は複数の連続するサブフレームにわたって相関データを累算する、ことと、を含んでもよい。
【０３５５】
いくつかの実施形態では、連続するサブフレームのうちの１つ目で、ＰＲＡＣＨインスタンスのうちの１つ目を送信するために第１のＵＥデバイスによって使用されるリソースブロックは、従来のＰＲＡＣＨサブフレームを送信するために、リンクバジェットが制限されていない第２のＵＥデバイスによって使用されるリソースブロックから分離される。
【０３５６】
いくつかの実施形態では、連続するサブフレームのうちの１つ目で、ＰＲＡＣＨインスタンスのうちの１つ目を送信するために第１のＵＥデバイスによって使用されるリソースブロックは、従来のＰＲＡＣＨサブフレームを送信するために、リンクバジェットが制限されていない第２のＵＥデバイスによって使用されるリソースブロックと少なくとも部分的に重複し、第１のＵＥデバイス及び第２のＵＥデバイスは、ＰＲＡＣＨ送信のための対応するＺＣルートをランダムに選択するようにそれぞれ構成される。
【０３５７】
ＩＶ．従来のＰＲＡＣＨプリアンブルの後でのＰＲＡＣＨインスタンスの送信
実施形態の１セットでは、（ランダムアクセス手順を容易にするように）第１のユーザ機器（ＵＥ）デバイスを動作させる方法は、以下の動作を含んでもよい。
【０３５８】
第１のＵＥデバイスのリンクバジェットが制限されている場合、第１のＵＥデバイスは、１つ以上の連続するサブフレームの第１のセットにわたって、物理ランダムアクセスチャネル（ＰＲＡＣＨ）の１つ以上のインスタンスの第１のセットをそれぞれ送信することであって、１つ以上のＰＲＡＣＨインスタンスの第１のセットを前述の送信することは、ＰＲＡＣＨの送信のための従来の形式に従って実行される、ことと、１つ以上のサブフレームの第１のセットの最後のサブフレームの直後に開始される、１つ以上の連続するサブフレームの第２のセットにわたって、ＰＲＡＣＨの１つ以上のインスタンスの第２のセットをそれぞれ送信することであって、第１のセットの１つ以上のＰＲＡＣＨインスタンスのそれぞれ及び第２のセットの１つ以上のＰＲＡＣＨインスタンスのそれぞれは同じＺａｄｏｆｆ−Ｃｈｕシーケンスを使用する、ことと、を含む動作を実行してもよい。
【０３５９】
いくつかの実施形態では、方法はまた、１つ以上のＰＲＡＣＨインスタンスの第１のセットを前述の送信することの前に、（例えば、ＳＩＢ２内の）システム情報を基地局から受信することを含んでもよく、システム情報は少なくとも従来の形式を示す。（「従来の形式」は、例えば、３ＧＰＰ  ＴＳ３６．２１１によって指定された形式であってもよい）。
【０３６０】
いくつかの実施形態では、従来の形式は、ＵＥデバイスにサービスを提供する基地局に認識されている、固定された形式である。
【０３６１】
いくつかの実施形態では、従来の形式は３ＧＰＰ  ＴＳ３６．２１１のＰＲＡＣＨ形式０に対応し、１つ以上のサブフレームの第１のセットは１つのサブフレームのみを含む。
【０３６２】
いくつかの実施形態では、従来の形式は３ＧＰＰ  ＴＳ３６．２１１のＰＲＡＣＨ形式２に対応し、１つ以上のサブフレームの第１のセットは厳密に２つのサブフレームを含む。
【０３６３】
いくつかの実施形態では、第１のセットの各サブフレーム及び第２のセットの各サブフレームに対するＰＲＡＣＨ構成（例えば、ＰＲＡＣＨ包含リソースブロックの数、ＺＣシーケンスの繰り返しの数、ＺＣシーケンスの長さ）は同一である。
【０３６４】
実施形態の１セットでは、（ランダムアクセス手順を容易にするように）第１のユーザ機器デバイスを動作させる方法は、以下の動作を含んでもよい。第１のＵＥデバイスのリンクバジェットが制限されている場合、第１のＵＥデバイスは、第１の物理ランダムアクセスチャネル（ＰＲＡＣＨ）を含む、１つ以上の連続するサブフレームの第１のセットを送信することであって、第１のＰＲＡＣＨはＰＲＡＣＨ送信のための従来の形式に従って送信される、ことと、第１のＰＲＡＣＨの１つ以上の繰り返しを含む、１つ以上の連続するサブフレームの第２のセットを送信することであって、１つ以上のサブフレームの第２のセットは、１つ以上のサブフレームの第１のセットの最後のサブフレームの直後に開始され、１つ以上のＰＲＡＣＨの繰り返しのそれぞれは、第１のＰＲＡＣＨと同じＺａｄｏｆｆ−Ｃｈｕシーケンスを使用する、ことと、を含む動作を実行してもよい。
【０３６５】
実施形態の１セットでは、（ユーザ機器デバイスによるランダムアクセス手順を容易にするように）基地局を動作させる方法は、以下の動作を含んでもよい。
【０３６６】
方法は、ＵＥデバイスによる第１の送信に応じて第１のシンボルデータセットを受信することを含んでもよく、第１の送信は、それぞれ１つ以上の連続するサブフレームの第１のセットにわたる、物理ランダムアクセスチャネル（ＰＲＡＣＨ）の１つ以上のインスタンスの第１のセットを含み、前述の第１の送信は、ＰＲＡＣＨの送信のための従来の形式に従って実行される。
【０３６７】
方法はまた、ＵＥデバイスによる後続の送信に応じて第２のシンボルデータセットを受信することを含んでもよく、後続の送信は、１つ以上のサブフレームの第１のセットの最後のサブフレームの直後から開始される、１つ以上の連続するサブフレームの第２のセットを含む。
【０３６８】
方法はまた、１つ以上の連続するサブフレームの第２のセットが、１つ以上のＰＲＡＣＨインスタンスの第１のセットに加えて１つ以上のＰＲＡＣＨインスタンスを含むかどうかを判定するために、第１のシンボルデータセット及び第２のシンボルデータセットの和集合に対して相関処理を実行することを含んでもよく、１つ以上の追加のＰＲＡＣＨインスタンスは、存在する場合、第１のセットの１つ以上のＰＲＡＣＨインスタンスと同じＺＣシーケンスを使用するものと見なされる。
【０３６９】
方法はまた、１つ以上の連続するサブフレームの第２のセットが１つ以上のＰＲＡＣＨインスタンスの第１のセットに加えて１つ以上のＰＲＡＣＨインスタンスを含むことを判定したことに応じて、ＵＥデバイスのリンクバジェットが制限されていることの指示をメモリ内に記憶することを含んでもよい。
【０３７０】
いくつかの実施形態では、方法はまた、第１のシンボルデータセットを受信する上述の動作の前に、少なくとも従来の形式を示すシステム情報を送信することを含んでもよい。
【０３７１】
いくつかの実施形態では、従来の形式は、基地局に認識されている固定された形式である。
【０３７２】
いくつかの実施形態では、方法はまた、ＵＥデバイスのリンクバジェットが制限されていることの指示に応じて、リンクバジェットが制限されていないＵＥデバイスに対して使用されるものよりも低い符号化レート（又は増加された冗長性）を使用して、ランダムアクセス手順の１つ以上のメッセージをＵＥデバイスへと送信することを含む。
【０３７３】
いくつかの実施形態では、方法はまた、ＵＥデバイスのリンクバジェットが制限されていることの指示に応じて、リンクバジェットが制限されていないＵＥデバイスに対して使用されるものよりも低い符号化レート（又は増加された冗長性）を使用して、ダウンリンクペイロードデータをＵＥデバイスへと送信することを含む。
【０３７４】
実施形態の１セットでは、（ユーザ機器デバイスによるランダムアクセス手順を容易にするように）基地局を動作させる方法は、以下の動作を含んでもよい。
【０３７５】
方法は、ＵＥデバイスによる第１の送信に応じて第１のシンボルデータセットを受信することを含んでもよく、第１の送信は、第１の物理ランダムアクセスチャネル（ＰＲＡＣＨ）を含む、１つ以上の連続するサブフレームの第１のセットの送信であり、前述の第１のＰＲＡＣＨは、ＰＲＡＣＨ送信のための従来の形式に従って送信される。
【０３７６】
方法はまた、ＵＥデバイスによる後続の送信に応じて第２のシンボルデータセットを受信することを含んでもよく、後続の送信は、１つ以上の連続するサブフレームの第２のセットの送信であり、１つ以上の連続するサブフレームの第２のセットは、１つ以上のサブフレームの第１のセットの最後のサブフレームの直後から開始される。
【０３７７】
方法はまた、１つ以上の連続するサブフレームの第２のセットが、第１のＰＲＡＣＨの１つ以上の繰り返しを含むかどうかを判定するために、第１のシンボルデータセット及び第２のシンボルデータセットの和集合に対して相関処理を実行することを含んでもよく、第１のＰＲＡＣＨの１つ以上の繰り返しは、存在する場合、第１のＰＲＡＣＨと同じＺａｄｏｆｆ−Ｃｈｕシーケンスを使用するものと見なされる。
【０３７８】
方法はまた、１つ以上の連続するサブフレームの第２のセットが第１のＰＲＡＣＨの１つ以上の繰り返しを含むことを判定したことに応じて、ＵＥデバイスのリンクバジェットが制限されていることの指示をメモリ内に記憶することを含んでもよい。
【０３７９】
Ｖ．リンクバジェットが制限されたデバイスのための予約された論理ルートシーケンス番号
実施形態の１セットでは、（ランダムアクセス手順を容易にするように）第１のユーザ機器デバイスを動作させる方法は、以下の動作を含んでもよい。
【０３８０】
方法は、物理ランダムアクセスチャネル（ＰＲＡＣＨ）のための構成インデックス、循環シフト値（Ｎｃｓ）、及び論理ルート番号を含むシステム情報を受信することを含んでもよい。
【０３８１】
第１のＵＥデバイスのリンクバジェットが制限されている場合、方法はまた、（ａ）論理ルート番号に基づき第１の物理ルート番号を計算することであって、第１の物理ルート番号は、論理ルート番号に対応する従来の物理ルート番号と異なる、ことと、（ｂ）循環シフト値、及び第１の物理ルート番号を含む１つ以上の物理ルート番号に基づき、Ｚａｄｏｆｆ−Ｃｈｕシーケンスの第１のセットを生成することと、（ｃ）第１のセットのＺａｄｏｆｆ−Ｃｈｕシーケンスのうちの１つをランダムに選択することと、（ｄ）選択されたＺａｄｏｆｆ−Ｃｈｕシーケンスの繰り返しを含む第１のＰＲＡＣＨサブフレームを送信することであって、第１のＰＲＡＣＨサブフレームは第１の無線フレーム中に送信される、ことと、を含む動作を実行することを含んでもよい。
【０３８２】
いくつかの実施形態では、第１の物理ルート番号は、リンクバジェットが制限されたＵＥデバイスによってのみ使用されるために予約された、物理ルート番号の予約されたセットのメンバーである。
【０３８３】
いくつかの実施形態では、第１の物理ルート番号は、物理ルート番号への論理ルート番号の既定のマッピングに基づき特定され、ＵＥデバイスと基地局との間で、このマッピングについての合意がなされている。
【０３８４】
いくつかの実施形態では、第１の物理ルート番号は、ＵＥデバイスが加入している無線ネットワークの基地局によって認識されている固定された数式を使用して、論理ルート番号から計算される。
【０３８５】
いくつかの実施形態では、前述の第１のセット内のＺａｄｏｆｆ−Ｃｈｕシーケンスの数は、３２以下、２４以下、１６以下、範囲［９，１６］内又は範囲［１０，１４］内である。
【０３８６】
いくつかの実施形態では、上述の動作はまた、第１の無線フレームを、その無線フレーム番号が１よりも大きい固定された整数の倍数となるように選択することを含んでもよく、第１の整数は、第１のＵＥデバイスが加入している無線ネットワークの基地局に認識されている。
【０３８７】
いくつかの実施形態では、動作はまた、１つ以上の追加のＰＲＡＣＨサブフレームを送信することを含んでもよく、１つ以上の追加のＰＲＡＣＨサブフレームのそれぞれは、選択されたＺａｄｏｆｆ−Ｃｈｕシーケンスの繰り返しを含み、１つ以上の追加のＰＲＡＣＨサブフレームのそれぞれは、第１の無線フレームの従来許可されるサブフレーム、又は第１の無線フレームの直後の第２の無線フレームの従来許可されるサブフレームを占有し、従来許可されるサブフレームは、ＴＳ３６．２１１で定義されているようなＰＲＡＣＨ構成インデックスに基づき従来許可されるサブフレームである。
【０３８８】
いくつかの実施形態では、Ｚａｄｏｆｆ−Ｃｈｕシーケンスの第１のセットは、論理シーケンス番号及び循環シフト値に基づき、ＴＳ３６．２１１によって定義されているような６４個のＺａｄｏｆｆ−Ｃｈｕシーケンスの従来のセットから分離される。
【０３８９】
実施形態の１セットでは、（ユーザ機器デバイスによるランダムアクセス手順を容易にするように）基地局を動作させる方法は、以下の動作を含んでもよい。
【０３９０】
方法は、物理ランダムアクセスチャネル（ＰＲＡＣＨ）のための構成インデックス、循環シフト値（Ｎｃｓ）、及び論理ルート番号を含むシステム情報を送信することを含んでもよい。
【０３９１】
方法はまた、ＰＲＡＣＨ構成インデックスと合致する２つ以上のサブフレームにわたってシンボルデータを受信することを含んでもよい。
【０３９２】
方法はまた、シンボルデータがＺａｄｏｆｆ−Ｃｈｕシーケンスの第１のセットからの任意のＺａｄｏｆｆ−Ｃｈｕシーケンスの繰り返しを含むかどうかを判定するために、相関検索処理を実行することを含んでもよく、Ｚａｄｏｆｆ−Ｃｈｕシーケンスの第１のセットは、循環シフト値、及び第１の物理ルート番号を含む１つ以上の物理ルート番号に基づき特定され、第１の物理ルート番号は、論理ルート番号に対応する従来の物理ルート番号と異なる。
【０３９３】
方法はまた、前述の相関検索処理が、シンボルデータが第１のセットの特定のＺａｄｏｆｆ−Ｃｈｕシーケンスの繰り返しを含むことを判定したことに応じて、ＵＥデバイスのリンクバジェットが制限されていることの指示をメモリ内に記憶することを含んでもよい。
【０３９４】
いくつかの実施形態では、２つ以上のサブフレームは、１つ以上の連続する無線フレーム内で発生する。
【０３９５】
いくつかの実施形態では、第１の物理ルート番号は、リンクバジェットが制限されたＵＥデバイスによってのみ使用されるために予約された、物理ルート番号の予約されたセットのメンバーである。
【０３９６】
いくつかの実施形態では、第１の物理ルート番号は、物理ルート番号への論理ルート番号の既定のマッピングに基づき特定され、ＵＥデバイスと基地局との間で、このマッピングについての合意がなされている。
【０３９７】
いくつかの実施形態では、前述の第１のセット内のＺａｄｏｆｆ−Ｃｈｕシーケンスの数は、３２以下、２４以下、１６以下、範囲［９，１６］内又は範囲［１０，１４］内である。
【０３９８】
いくつかの実施形態では、シンボルデータを受信する上述の動作は、フレーム番号が１よりも大きい固定された整数の倍数である第１の無線フレーム内で開始され、リンクバジェットが制限されたＵＥデバイスは、フレーム番号が固定された整数の倍数である無線フレーム内でのみＰＲＡＣＨ情報を送信することを開始するように構成される。
【０３９９】
いくつかの実施形態では、Ｚａｄｏｆｆ−Ｃｈｕシーケンスの第１のセットは、論理シーケンス番号及び循環シフト値に基づき、ＴＳ３６．２１１によって定義されているような６４個のＺａｄｏｆｆ−Ｃｈｕシーケンスの従来のセットから分離される。
【０４００】
いくつかの実施形態では、方法はまた、ＵＥデバイスのリンクバジェットが制限されていることの指示に応じて、リンクバジェットが制限されていないＵＥデバイスに対して使用されるものよりも低い符号化レート（又は増加された冗長性）を使用して、ランダムアクセス手順の１つ以上のメッセージをＵＥデバイスへと送信することを含んでもよい。
【０４０１】
いくつかの実施形態では、方法はまた、ＵＥデバイスのリンクバジェットが制限されていることの指示に応じて、リンクバジェットが制限されていないＵＥデバイスに対して使用されるものよりも低い符号化レート（又は増加された冗長性）を使用して、ダウンリンクペイロードデータをＵＥデバイスへと送信することを含んでもよい。
【０４０２】
本発明の実施形態は種々の形態の任意のもので実現されてよい。例えば、いくつかの実施形態では、本発明は、コンピュータによって実行される方法、非一時的コンピュータ可読記憶媒体、又はコンピュータシステムとして実現されてもよい。他の実施形態では、ＡＳＩＣのような１つ以上のカスタム設計されたハードウェア装置を使用して、本発明を実現することができる。他の実施形態では、ＦＰＧＡのような１つ以上のプログラム可能なハードウェア要素を使用して、本発明を実現することができる。
【０４０３】
いくつかの実施形態では、非一時的コンピュータ可読記憶媒体は、プログラム命令及び／又はデータを記憶するように構成することができ、このプログラム命令は、コンピュータシステムによって実行される場合には、そのコンピュータシステムに、方法、例えば、本明細書に記載した方法の実施形態のいずれか、又は、本明細書に記載された方法の実施形態の任意の組合せ、又は、本明細書に記載された方法の実施形態のいずれかの任意のサブセット、又はこのようなサブセットの任意の組合せを実行させる。
【０４０４】
いくつかの実施形態では、デバイス（例えば、ＵＥ又は基地局）は、プロセッサ（又はプロセッサのセット）及び記憶媒体を含むように構成されてもよい。ここで、記憶媒体はプログラム命令を記憶し、プロセッサは、記憶媒体からプログラム命令を読み込み、実行するように構成される。プログラム命令は、本明細書に記載されている種々の方法の実施形態の任意のもの（又は、本明細書に記載されている方法の実施形態の任意の組合せ、又は、本明細書に記載されている方法の実施形態のいずれかの任意のサブセット、又はこのようなサブセットの任意の組合せ）を実施するために実行可能である。デバイスは種々の形態のいずれかで実現されてもよい。
【０４０５】
いくつかの実施形態では、集積回路は、本明細書に記載されている種々の方法の実施形態のいずれか（又は本明細書に記載されている方法の実施形態の任意の組合せ、又は本明細書に記載されている方法の実施形態のいずれかの任意のサブセット、又はこのようなサブセットの任意の組合せ）を実行するように構成されてもよい。集積回路は、種々の形態のいずれかで実現されてもよい。
【０４０６】
上記の実施形態は、かなり詳細に記載されているが、上記の開示が完全に理解されると、当業者には、数多くの変形及び変更が明らかとなるであろう。以下の請求項は、このような変形及び変更の全てを包含するように解釈することを意図している。
【図１】
0006422999.tif 000005
【図２】
0006422999.tif 000006
【図３】
0006422999.tif 000007
【図４】
0006422999.tif 000008
【図５Ａ】
0006422999.tif 000009
【図５Ｂ】
0006422999.tif 000010
【図６】
0006422999.tif 000011
【図７】
0006422999.tif 000012
【図８Ａ】
0006422999.tif 000013
【図８Ｂ】
0006422999.tif 000014
【図９】
0006422999.tif 000015
【図１０】
0006422999.tif 000016
【図１１】
0006422999.tif 000017
【図１２】
0006422999.tif 000018
【図１３】
0006422999.tif 000019
【図１４】
0006422999.tif 000020
【図１５】
0006422999.tif 000021
【図１６】
0006422999.tif 000022
【図１７】
0006422999.tif 000023
【図１８】
0006422999.tif 000024
【図１９】
0006422999.tif 000025
【図２０】
0006422999.tif 000026
【図２１】
0006422999.tif 000027
【図２２】
0006422999.tif 000028
【図２３】
0006422999.tif 000029
【図２４】
0006422999.tif 000030
【図２５】
0006422999.tif 000031
【図２６】
0006422999.tif 000032